(57)【要約】【課題】はつり工事を必要とせず、はつり音およびはつり振動の発生や多量の塵埃の発生がなく、静音および清浄な環境を維持した状態で既設建造物の既設鉄骨梁に新設鉄骨間柱を取り付けた鉄骨構造物を施工することができる鉄骨構造物施工方法を提供する。【解決手段】鉄骨構造物施工方法は、既設鉄骨梁１１の上に施工されたコンクリートスラブ２４に貫通孔２５を穿孔する第１穿孔工程と、増設部材１６を既設鉄骨梁１１に設置する増設部材設置工程と、連結板１３をコンクリートスラブ２４の上に配置し、第１穿孔工程によってコンクリートスラブ２４に穿孔された貫通孔２５に連結ボルト１５を挿通しつつ、貫通孔２５に挿通した連結ボルト１５によって連結板１３と増設部材１６とを連結することで、新設鉄骨間柱１２を既設鉄骨梁１１に連結する間柱連結工程とを有する。【選択図】図１
2019027219.tif 000002
【特許請求の範囲】
【請求項１】
既設建造物の既設鉄骨梁と、前記既設鉄骨梁の上から垂直方向へ延びる新設鉄骨間柱とから形成された鉄骨構造物を施工する鉄骨構造物施工方法において、
前記鉄骨構造物が、前記新設鉄骨間柱の下端に取り付けられた連結板と、前記既設鉄骨梁と前記新設鉄骨間柱とを連結する連結ボルトとを備え、前記鉄骨構造物施工方法が、前記既設鉄骨梁の上に施工されたコンクリート躯体に貫通孔を穿孔するとともに該既設鉄骨梁にボルト孔を穿孔する第１穿孔工程と、前記連結板を前記コンクリート躯体の上に配置し、前記第１穿孔工程によって前記コンクリート躯体に穿孔された貫通孔と前記既設鉄骨梁に穿孔されたボルト孔とに前記連結ボルトを挿通しつつ、前記貫通孔と前記ボルト孔とに挿通した連結ボルトによって前記連結板と前記既設鉄骨梁とを連結することで、前記新設鉄骨間柱を前記既設鉄骨梁に連結する間柱連結工程とを有することを特徴とする鉄骨構造物施工方法。
【請求項２】
前記鉄骨構造物が、前記既設鉄骨梁に取り付けられる増設部材を備え、前記鉄骨構造物施工方法が、前記増設部材を前記既設鉄骨梁に設置する増設部材設置工程を含み、前記間柱連結工程が、前記貫通孔と前記ボルト孔とに挿通した連結ボルトによって前記連結板と前記増設部材とを連結することで、前記新設鉄骨間柱を前記既設鉄骨梁に連結する請求項１に記載の鉄骨構造物施工方法。
【請求項３】
前記新設鉄骨間柱が、一対のフランジとウェブとを有して垂直方向へ延びる第１のＨ形鋼であり、前記既設鉄骨梁が、上下フランジとウェブとを有して水平方向へ延びる第２のＨ形鋼であり、前記連結板が、前記第１のＨ形鋼の下端に取り付けられ、前記第１穿孔工程が、前記第２のＨ形鋼の上フランジにボルト孔を穿孔し、前記増設部材設置工程が、前記増設部材を前記第２のＨ形鋼の上フランジの側のウェブに設置し、前記間柱連結工程が、前記コンクリート躯体の貫通孔と前記第２のＨ形鋼の上フランジのボルト孔とに挿通した連結ボルトによって前記連結板と前記増設部材とを連結することで、前記第１のＨ形鋼を前記第２のＨ形鋼の上フランジに連結する請求項２に記載の鉄骨構造物施工方法。
【請求項４】
前記鉄骨構造物が、前記連結ボルトを挿通する鋼材スリーブを備え、前記鉄骨構造物施工方法が、前記鋼材スリーブを前記コンクリート躯体に穿孔された貫通孔に設置する鋼材スリーブ設置工程を含み、前記鉄骨構造物施工方法では、前記連結板と前記既設鉄骨梁との間に延びる前記鋼材スリーブに前記連結ボルトを挿通し、前記連結ボルトと前記鋼材スリーブとによって前記既設鉄骨梁と前記新設鉄骨間柱との接合部に生じる曲げ応力に抗する曲げ抵抗・伝達手段を形成する請求項１ないし請求項３いずれかに記載の鉄骨構造物施工方法。
【請求項５】
前記鉄骨構造物が、前記コンクリート躯体の貫通孔に充填する充填材を備え、前記鉄骨構造物施工方法が、前記コンクリート躯体の貫通孔に充填材を充填する充填材第１充填工程を含み、前記鉄骨構造物施工方法では、前記貫通孔と前記鋼材スリーブの外周面との間隙と、前記連結ボルトと前記鋼材スリーブの内周面との間隙とのうちの少なくとも該連結ボルトと該鋼材スリーブの内周面との間隙が前記充填材によって埋められ、前記連結ボルトと前記鋼材スリーブとが前記貫通孔において硬化した充填材と一体になり、前記連結ボルトと前記鋼材スリーブと前記貫通孔において硬化した充填材とによって前記既設鉄骨梁と前記新設鉄骨間柱との接合部に生じる曲げ応力に抗する曲げ抵抗・伝達手段を形成する請求項４に記載の鉄骨構造物施工方法。
【請求項６】
前記鉄骨構造物が、前記コンクリート躯体の貫通孔に充填する充填材を備え、前記鉄骨構造物施工方法が、前記コンクリート躯体の貫通孔に充填材を充填する充填材第１充填工程を含み、前記鉄骨構造物施工方法では、前記貫通孔と前記連結ボルトとの間隙が前記充填材によって埋められ、前記連結ボルトが前記貫通孔において硬化した充填材と一体になり、前記連結ボルトと前記貫通孔において硬化した充填材とによって前記既設鉄骨梁と前記新設鉄骨間柱との接合部に生じる曲げ応力に抗する曲げ抵抗・伝達手段を形成する請求項１ないし請求項３いずれかに記載の鉄骨構造物施工方法。
【請求項７】
前記鉄骨構造物が、前記連結板に取り付けられて該連結板から下方へ延びる挿入棒と、前記コンクリート躯体に穿孔された挿入孔に充填する充填材とを備え、前記鉄骨構造物施工方法が、前記既設鉄骨梁の上に施工されたコンクリート躯体に前記挿入孔を穿孔する第２穿孔工程と、前記コンクリート躯体の挿入孔に前記充填材を充填する充填材第２充填工程と、前記コンクリート躯体の挿入孔に前記挿入棒を挿入する挿入棒挿入工程とを含み、前記鉄骨構造物施工方法では、前記挿入棒が前記挿入孔において硬化した充填材と一体になり、前記挿入棒と前記挿入孔において硬化した充填材とによって前記既設鉄骨梁と前記新設鉄骨間柱との接合部に生じるせん断応力に抗するせん断抵抗・伝達手段を形成する請求項４ないし請求項６いずれかに記載の鉄骨構造物施工方法。
【請求項８】
前記鉄骨構造物が、前記連結板に着脱可能に螺着または挿入された挿入ボルトと、前記コンクリート躯体に穿孔された挿入孔に充填する充填材とを備え、前記鉄骨構造物施工方法が、前記既設鉄骨梁の上に施工されたコンクリート躯体に前記挿入孔を穿孔する第２穿孔工程と、前記コンクリート躯体の挿入孔に前記充填材を充填する充填材第２充填工程と、前記コンクリート躯体の挿入孔に前記挿入ボルトを挿入する挿入ボルト挿入工程とを含み、前記鉄骨構造物施工方法では、前記挿入ボルトが前記挿入孔において硬化した充填材と一体になり、前記挿入ボルトと前記挿入孔において硬化した充填材とによって前記既設鉄骨梁と前記新設鉄骨間柱との接合部に生じるせん断応力に抗するせん断抵抗・伝達手段を形成する請求項４ないし請求項６いずれかに記載の鉄骨構造物施工方法。
【請求項９】
前記鉄骨構造物が、前記連結板に穿孔された挿通孔と前記コンクリート躯体に穿孔された挿入孔とに挿入された金属柱を備え、前記鉄骨構造物施工方法が、前記既設鉄骨梁の上に施工されたコンクリート躯体に前記挿入孔を穿孔する第２穿孔工程と、前記連結板の挿通孔と前記コンクリート躯体の挿入孔とに前記金属柱を挿入する金属柱挿入工程とを含み、前記鉄骨構造物施工方法では、前記金属柱によって前記既設鉄骨梁と前記新設鉄骨間柱との接合部に生じるせん断応力に抗するせん断抵抗・伝達手段を形成する請求項４ないし請求項６いずれかに記載の鉄骨構造物施工方法。
【請求項１０】
前記鉄骨構造物が、前記金属柱を挿入した前記連結板の挿通孔および前記コンクリート躯体の挿入孔に充填する充填材を備え、前記鉄骨構造物施工方法が、前記連結板の挿通孔および前記コンクリート躯体の挿入孔に前記充填材を充填する充填材第２充填工程を含み、前記鉄骨構造物施工方法では、前記挿通孔および前記挿入孔と前記金属柱の外周面との間隙が前記充填材によって埋められ、前記金属柱が前記挿通孔および前記挿入孔において硬化した充填材と一体になり、前記金属柱と前記挿通孔および前記挿入孔において硬化した充填材とによって前記既設鉄骨梁と前記新設鉄骨間柱との接合部に生じるせん断応力に抗するせん断抵抗・伝達手段を形成する請求項９に記載の鉄骨構造物施工方法。
【請求項１１】
前記鉄骨構造物が、前記連結板の挿通孔および前記コンクリート躯体の挿入孔に挿入された前記金属柱の頂部を押さえる押さえ板を備え、前記鉄骨構造物施工方法が、前記押さえ板を前記金属柱の頂部を含むその近傍に配置しつつ、前記押さえ板を前記連結板に固定する押さえ板固定工程を含み、前記鉄骨構造物施工方法では、前記金属柱と前記押さえ板とによって前記既設鉄骨梁と前記新設鉄骨間柱との接合部に生じるせん断応力に抗するせん断抵抗・伝達手段を形成する請求項９または請求項１０に記載の鉄骨構造物施工方法。
【請求項１２】
前記鉄骨構造物が、前記連結板に着脱可能に取り付けられて該連結板を前記コンクリート躯体に連結するコネクト部材と、前記コンクリート躯体に穿孔された挿入孔に充填されて該挿入孔において硬化した充填材とを備え、前記コネクト部材が、前記コンクリート躯体の挿入孔に埋め込まれる脚部と、前記脚部につながる板状ベースと、前記連結板と前記板状ベースとに着脱可能に螺着されて該板状ベースと該連結板とを接続する接続ボルトとから形成され、前記鉄骨構造物施工方法が、前記既設鉄骨梁の上に施工されたコンクリート躯体に前記挿入孔を穿孔する第２穿孔工程と、前記コンクリート躯体の挿入孔に前記充填材を充填する充填材第２充填工程と、前記コンクリート躯体の挿入孔に前記コネクト部材の脚部を埋め込んで該コネクト部材を該挿入孔に設置するコネクト部材設置工程とを含み、前記鉄骨構造物施工方法では、前記コネクト部材が前記挿入孔において硬化した充填材と一体になり、前記コネクト部材と前記挿入孔において硬化した充填材とによって前記既設鉄骨梁と前記新設鉄骨間柱との接合部に生じるせん断応力に抗するせん断抵抗・伝達手段を形成する請求項４ないし請求項６いずれかに記載の鉄骨構造物施工方法。
【請求項１３】
前記鉄骨構造物施工方法では、前記せん断抵抗・伝達手段を前記新設鉄骨間柱の中央部の近傍に形成し、前記曲げ抵抗・伝達手段を前記新設鉄骨間柱の両側部の近傍に形成する請求項７ないし請求項１２いずれかに記載の鉄骨構造物施工方法。
【請求項１４】
前記鉄骨構造物施工方法では、前記せん断抵抗・伝達手段を前記新設鉄骨間柱である第１のＨ形鋼のウェブに沿って形成し、前記曲げ抵抗・伝達手段を前記新設鉄骨間柱である第１のＨ形鋼の一方のフランジの近傍と他方のフランジの近傍とに形成する請求項１３に記載の鉄骨構造物施工方法。
【発明の詳細な説明】
【技術分野】
【０００１】
本発明は、既設鉄骨梁と新設鉄骨間柱とから形成された鉄骨構造物を施工する鉄骨構造物施工方法に関する。
【背景技術】
【０００２】
超高層ビルや高層ビル、中層ビル、低層ビル、工場等の既設建造物の既設鉄骨梁（Ｈ形鋼）に垂直方向上方へ延びる新設鉄骨間柱（Ｈ形鋼）を設置して鉄骨構造物を施工する鉄骨構造物施工方法の一例としては、既設鉄骨梁を形成するＨ形鋼の上フランジの上に施工されたコンクリートスラブ（コンクリート躯体）を新設鉄骨間柱の設置箇所において所定面積ではつって既設鉄骨梁（Ｈ形鋼の上フランジ）を露出させ、新設鉄骨間柱を形成するＨ形鋼の下端に取り付けられた連結板をＨ形鋼の上フランジの上に載置した後、連結板をＨ形鋼の上フランジにボルトおよびナットによって固定し、または、連結板をＨ形鋼の上フランジに溶接によって固定する。なお、既設建造物の既設鉄骨梁（Ｈ形鋼）に新設鉄骨間柱（Ｈ形鋼）を取り付けた鉄骨構造物が開示されている（特許文献１および特許文献２参照）。
【先行技術文献】
【特許文献】
【０００３】
【特許文献１】特開２００４−２２５３５１号公報
【特許文献２】特開２０１６−３１００９号公報
【発明の概要】
【発明が解決しようとする課題】
【０００４】
コンクリートスラブのはつり工事では、電動ハンマー（はつりハンマー）を使用して既設鉄骨梁の上のコンクリートをはつるが、不快な騒音となるはつり音や不快な振動であるはつり振動が発生し、そのはつり音やはつり振動が周囲の室内や共用箇所に伝搬し、周囲の室内や共用箇所の静音な環境が破壊される。また、はつり工事において多量の塵埃が発生し、はつり工事を行う室内や共用箇所の清浄な環境が破壊される。はつり工事は人が帰宅した深夜や休日に行われる場合が多く、平日の昼間に行うことが難しいから、平日の昼間の時間を有効に使用して鉄骨構造物の施工作業を行うことができない。したがって、はつり工事をともなう場合、既設建造物の既設鉄骨梁（Ｈ形鋼）に新設鉄骨間柱（Ｈ形鋼）を取り付けた鉄骨構造物を短時間に効率よく施工することができない。
【０００５】
また、はつり工事を行うことで、コンクリート躯体の耐力が低下する場合やコンクリート躯体が変形する場合があり、はつり工事前の原形を維持することができない場合があるとともに、はつり箇所に対する復旧工事が必要になり、鉄骨構造物の施工に手間と時間とを要する。新設鉄骨間柱を形成するＨ形鋼の下端に取り付けられた連結板を既設鉄骨梁を形成するＨ形鋼の上フランジに溶接によって接合する場合、溶接作業によって火花が飛び散り、細心の注意を払って溶接作業を行ったとしても、火災発生の危険性が残り、安全性を確保することが難しい。なお、火災が発生した場合に消火作業にてこずる超高層ビルや高層ビル、中層ビル、低層ビルにおいて溶接作業を行うことは好ましくない。さらに、溶接の熱によって鉄骨部材の耐力が低下する場合や鉄骨部材が変形する場合がある。
【０００６】
本発明の目的は、はつり工事を必要とせず、はつり音およびはつり振動の発生や多量の塵埃の発生がなく、静音および清浄な環境を維持した状態で既設建造物の既設鉄骨梁に新設鉄骨間柱を取り付けた鉄骨構造物を施工することができる鉄骨構造物施工方法を提供することにある。本発明の他の目的は、平日の昼間の時間に作業を行うことができ、平日の昼間の時間を有効に使用して既設建造物の既設鉄骨梁に新設鉄骨間柱を取り付けた鉄骨構造物を短時間に効率よく施工することができる鉄骨構造物施工方法を提供することにある。本発明の他の目的は、コンクリートをはつる必要がなく、はつり箇所に対する復旧工事を行う必要がないのみならず、コンクリート躯体の耐力の低下やコンクリート躯体の変形を防ぎつつ既設建造物の既設鉄骨梁に新設鉄骨間柱を取り付けた鉄骨構造物を施工することができる鉄骨構造物施工方法を提供することにある。本発明の他の目的は、溶接作業を必要とせず、溶接の熱による鉄骨部材の耐力の低下や鉄骨部材の変形を防ぐことができ、火災発生の危険がなく、既設建造物の既設鉄骨梁に新設鉄骨間柱を取り付けた鉄骨構造物を安全に施工することができる鉄骨構造物施工方法を提供することにある。
【課題を解決するための手段】
【０００７】
前記課題を解決するための本発明の前提は、既設建造物の既設鉄骨梁と、既設鉄骨梁の上から垂直方向へ延びる新設鉄骨間柱とから形成された鉄骨構造物を施工する鉄骨構造物施工方法である。
【０００８】
前記前提における本発明の鉄骨構造物施工方法の特徴は、鉄骨構造物が、新設鉄骨間柱の下端に取り付けられた連結板と、既設鉄骨梁と新設鉄骨間柱とを連結する連結ボルトとを備え、鉄骨構造物施工方法が、既設鉄骨梁の上に施工されたコンクリート躯体に貫通孔を穿孔するとともに既設鉄骨梁にボルト孔を穿孔する第１穿孔工程と、連結板をコンクリート躯体の上に配置し、第１穿孔工程によってコンクリート躯体に穿孔された貫通孔と既設鉄骨梁に穿孔されたボルト孔とに連結ボルトを挿通しつつ、貫通孔とボルト孔とに挿通した連結ボルトによって連結板と既設鉄骨梁とを連結することで、新設鉄骨間柱を既設鉄骨梁に連結する間柱連結工程とを有することにある。
【０００９】
本発明の鉄骨構造物施工方法の一例としては、鉄骨構造物が、既設鉄骨梁に取り付けられる増設部材を備え、鉄骨構造物施工方法が、増設部材を既設鉄骨梁に設置する増設部材設置工程を含み、間柱連結工程が、貫通孔とボルト孔とに挿通した連結ボルトによって連結板と増設部材とを連結することで、新設鉄骨間柱を既設鉄骨梁に連結する。
【００１０】
本発明の鉄骨構造物施工方法の他の一例としては、新設鉄骨間柱が、一対のフランジとウェブとを有して垂直方向へ延びる第１のＨ形鋼であり、既設鉄骨梁が、上下フランジとウェブとを有して水平方向へ延びる第２のＨ形鋼であり、連結板が、第１のＨ形鋼の下端に取り付けられ、第１穿孔工程が、第２のＨ形鋼の上フランジにボルト孔を穿孔し、増設部材設置工程が、増設部材を第２のＨ形鋼の上フランジの側のウェブに設置し、間柱連結工程が、コンクリート躯体の貫通孔と第２のＨ形鋼の上フランジのボルト孔とに挿通した連結ボルトによって連結板と増設部材とを連結することで、第１のＨ形鋼を第２のＨ形鋼の上フランジに連結する。
【００１１】
本発明の鉄骨構造物施工方法の他の一例としては、  鉄骨構造物が、連結ボルトを挿通する鋼材スリーブを備え、鉄骨構造物施工方法が、鋼材スリーブをコンクリート躯体に穿孔された貫通孔に設置する鋼材スリーブ設置工程を含み、鉄骨構造物施工方法では、連結板と既設鉄骨梁との間に延びる鋼材スリーブに連結ボルトを挿通し、連結ボルトと鋼材スリーブとによって既設鉄骨梁と新設鉄骨間柱との接合部に生じる曲げ応力に抗する曲げ抵抗・伝達手段を形成する。
【００１２】
本発明の鉄骨構造物施工方法の他の一例としては、鉄骨構造物が、コンクリート躯体の貫通孔に充填する充填材を備え、鉄骨構造物施工方法が、コンクリート躯体の貫通孔に充填材を充填する充填材第１充填工程を含み、鉄骨構造物施工方法では、貫通孔と鋼材スリーブの外周面との間隙と、連結ボルトと鋼材スリーブの内周面との間隙とのうちの少なくとも連結ボルトと鋼材スリーブの内周面との間隙が充填材によって埋められ、連結ボルトと鋼材スリーブとが貫通孔において硬化した充填材と一体になり、連結ボルトと鋼材スリーブと貫通孔において硬化した充填材とによって既設鉄骨梁と新設鉄骨間柱との接合部に生じる曲げ応力に抗する曲げ抵抗・伝達手段を形成する。
【００１３】
本発明の鉄骨構造物施工方法の他の一例としては、鉄骨構造物が、コンクリート躯体の貫通孔に充填する充填材を備え、鉄骨構造物施工方法が、コンクリート躯体の貫通孔に充填材を充填する充填材第１充填工程を含み、鉄骨構造物施工方法では、貫通孔と連結ボルトとの間隙が充填材によって埋められ、連結ボルトが貫通孔において硬化した充填材と一体になり、連結ボルトと貫通孔において硬化した充填材とによって既設鉄骨梁と新設鉄骨間柱との接合部に生じる曲げ応力に抗する曲げ抵抗・伝達手段を形成する。
【００１４】
本発明の鉄骨構造物施工方法の他の一例としては、鉄骨構造物が、連結板に取り付けられて連結板から下方へ延びる挿入棒と、コンクリート躯体に穿孔された挿入孔に充填する充填材とを備え、鉄骨構造物施工方法が、既設鉄骨梁の上に施工されたコンクリート躯体に挿入孔を穿孔する第２穿孔工程と、コンクリート躯体の挿入孔に充填材を充填する充填材第２充填工程と、コンクリート躯体の挿入孔に挿入棒を挿入する挿入棒挿入工程とを含み、鉄骨構造物施工方法では、挿入棒が挿入孔において硬化した充填材と一体になり、挿入棒と挿入孔において硬化した充填材とによって既設鉄骨梁と新設鉄骨間柱との接合部に生じるせん断応力に抗するせん断抵抗・伝達手段を形成する。
【００１５】
本発明の鉄骨構造物施工方法の他の一例としては、鉄骨構造物が、連結板に着脱可能に螺着または挿入された挿入ボルトと、コンクリート躯体に穿孔された挿入孔に充填する充填材とを備え、鉄骨構造物施工方法が、既設鉄骨梁の上に施工されたコンクリート躯体に挿入孔を穿孔する第２穿孔工程と、コンクリート躯体の挿入孔に充填材を充填する充填材第２充填工程と、コンクリート躯体の挿入孔に挿入ボルトを挿入する挿入ボルト挿入工程とを含み、鉄骨構造物施工方法では、挿入ボルトが挿入孔において硬化した充填材と一体になり、挿入ボルトと挿入孔において硬化した充填材とによって既設鉄骨梁と新設鉄骨間柱との接合部に生じるせん断応力に抗するせん断抵抗・伝達手段を形成する。
【００１６】
本発明の鉄骨構造物施工方法の他の一例としては、鉄骨構造物が、連結板に穿孔された挿通孔とコンクリート躯体に穿孔された挿入孔とに挿入された金属柱を備え、鉄骨構造物施工方法が、既設鉄骨梁の上に施工されたコンクリート躯体に挿入孔を穿孔する第２穿孔工程と、連結板の挿通孔とコンクリート躯体の挿入孔とに金属柱を挿入する金属柱挿入工程とを含み、鉄骨構造物施工方法では、金属柱によって既設鉄骨梁と新設鉄骨間柱との接合部に生じるせん断応力に抗するせん断抵抗・伝達手段を形成する。
【００１７】
本発明の鉄骨構造物施工方法の他の一例としては、鉄骨構造物が、金属柱を挿入した連結板の挿通孔およびコンクリート躯体の挿入孔に充填する充填材を備え、鉄骨構造物施工方法が、連結板の挿通孔およびコンクリート躯体の挿入孔に充填材を充填する充填材第２充填工程を含み、鉄骨構造物施工方法では、挿通孔および挿入孔と金属柱の外周面との間隙が充填材によって埋められ、金属柱が挿通孔および挿入孔において硬化した充填材と一体になり、金属柱と挿通孔および挿入孔において硬化した充填材とによって既設鉄骨梁と新設鉄骨間柱との接合部に生じるせん断応力に抗するせん断抵抗・伝達手段を形成する。
【００１８】
本発明の鉄骨構造物施工方法の他の一例としては、鉄骨構造物が、連結板の挿通孔およびコンクリート躯体の挿入孔に挿入された金属柱の頂部を押さえる押さえ板を備え、鉄骨構造物施工方法が、押さえ板を金属柱の頂部を含むその近傍に配置しつつ、押さえ板を連結板に固定する押さえ板固定工程を含み、鉄骨構造物施工方法では、金属柱と押さえ板とによって既設鉄骨梁と新設鉄骨間柱との接合部に生じるせん断応力に抗するせん断抵抗・伝達手段を形成する。
【００１９】
本発明の鉄骨構造物施工方法の他の一例としては、鉄骨構造物が、連結板に着脱可能に取り付けられて連結板をコンクリート躯体に連結するコネクト部材と、コンクリート躯体に穿孔された挿入孔に充填されて挿入孔において硬化した充填材とを備え、コネクト部材が、コンクリート躯体の挿入孔に埋め込まれる脚部と、脚部につながる板状ベースと、連結板と板状ベースとに着脱可能に螺着されて板状ベースと連結板とを接続する接続ボルトとから形成され、鉄骨構造物施工方法が、既設鉄骨梁の上に施工されたコンクリート躯体に挿入孔を穿孔する第２穿孔工程と、コンクリート躯体の挿入孔に充填材を充填する充填材第２充填工程と、コンクリート躯体の挿入孔にコネクト部材の脚部を埋め込んでコネクト部材を該挿入孔に設置するコネクト部材設置工程とを含み、鉄骨構造物施工方法では、コネクト部材が挿入孔において硬化した充填材と一体になり、コネクト部材と挿入孔において硬化した充填材とによって既設鉄骨梁と新設鉄骨間柱との接合部に生じるせん断応力に抗するせん断抵抗・伝達手段を形成する。
【００２０】
本発明の鉄骨構造物施工方法の他の一例として、鉄骨構造物施工方法では、せん断抵抗・伝達手段を新設鉄骨間柱の中央部の近傍に形成し、曲げ抵抗・伝達手段を新設鉄骨間柱の両側部の近傍に形成する。
【００２１】
本発明の鉄骨構造物施工方法の他の一例として、鉄骨構造物施工方法では、せん断抵抗・伝達手段を新設鉄骨間柱である第１のＨ形鋼のウェブに沿って形成し、曲げ抵抗・伝達手段を新設鉄骨間柱である第１のＨ形鋼の一方のフランジの近傍と他方のフランジの近傍とに形成する。
【発明の効果】
【００２２】
本発明に係る鉄骨構造物施工方法によれば、既設鉄骨梁の上に施工されたコンクリート躯体に貫通孔を穿孔するとともに既設鉄骨梁にボルト孔を穿孔し、新設鉄骨間柱の下端に取り付けられた連結板をコンクリート躯体に配置し、コンクリート躯体に穿孔された貫通孔と既設鉄骨梁に穿孔されたボルト孔とに連結ボルトを挿通しつつ、貫通孔とボルト孔とに挿通した連結ボルトによって連結板と既設鉄骨梁とを連結することで、新設鉄骨間柱を既設鉄骨梁に連結するから、連結ボルトを挿通する貫通孔とボルト孔とをコンクリート躯体と既設鉄骨梁とに穿孔し、貫通孔とボルト孔とに挿通した連結ボルトによって連結板と既設鉄骨梁とを連結すればよく、はつり工事を行う必要がなく、不快なはつり音やはつり振動の発生や多量の塵埃の発生を防ぐことができ、静音および清浄な環境を維持した状態で既設建造物の既設鉄骨梁に新設鉄骨間柱を取り付けた鉄骨構造物を施工（構築）することができる。鉄骨構造物施工方法は、不快なはつり音およびはつり振動の発生や多量の塵埃の発生を防ぐことができるから、平日の昼間の時間に作業を行うことができ、平日の昼間の時間を有効に使用して既設建造物の既設鉄骨梁に新設鉄骨間柱を取り付けた鉄骨構造物を短時間に効率よく施工することができる。鉄骨構造物施工方法は、コンクリートをはつる必要がないから、はつり箇所に対する復旧工事を行う手間と時間とを節約することができるとともに、コンクリート躯体の耐力の低下やコンクリート躯体の変形を防ぎつつ既設建造物の既設鉄骨梁に新設鉄骨間柱を取り付けた鉄骨構造物を施工することができる。鉄骨構造物施工方法は、連結ボルトを利用して新設鉄骨間柱を既設鉄骨梁に連結するから、溶接作業を必要とせず、溶接の熱による鉄骨部材の耐力の低下や鉄骨部材の変形を防ぐことができ、火災発生の危険がなく、超高層ビルや高層ビル、中層ビル、低層ビル、工場等のあらゆる既設建造物において、既設鉄骨梁に新設鉄骨間柱を取り付けた鉄骨構造物を安全に施工することができる。
【００２３】
鉄骨構造物が既設鉄骨梁に取り付けられる増設部材を備え、増設部材を既設鉄骨梁に設置し、貫通孔とボルト孔とに挿通した連結ボルトによって連結板と増設部材とを連結することで、新設鉄骨間柱を既設鉄骨梁に連結する鉄骨構造物施工方法は、連結ボルトを挿通する貫通孔とボルト孔とをコンクリート躯体と既設鉄骨梁とに穿孔し、貫通孔とボルト孔とに挿通した連結ボルトによって連結板と増設部材とを連結すればよく、はつり工事を行う必要がないから、不快なはつり音やはつり振動の発生や多量の塵埃の発生を防ぐことができ、静音および清浄な環境を維持した状態で既設建造物の既設鉄骨梁に新設鉄骨間柱を取り付けた鉄骨構造物を施工することができる。鉄骨構造物施工方法は、はつり箇所に対する復旧工事を行う手間と時間とを節約することができ、コンクリート躯体の耐力の低下やコンクリート躯体の変形を防ぐことができるとともに、平日の昼間の時間に作業を行うことができ、平日の昼間の時間を有効に使用して既設建造物の既設鉄骨梁に新設鉄骨間柱を取り付けた鉄骨構造物を短時間に効率よく施工することができる。鉄骨構造物施工方法は、連結ボルトを利用して連結板と増設部材とを連結するから、溶接作業を必要とせず、溶接の熱による鉄骨部材の耐力の低下や鉄骨部材の変形を防ぐことができ、火災発生の危険がなく、あらゆる既設建造物の既設鉄骨梁に新設鉄骨間柱を取り付けた鉄骨構造物を安全に施工することができる。
【００２４】
新設鉄骨間柱が一対のフランジとウェブとを有して垂直方向へ延びる第１のＨ形鋼であり、既設鉄骨梁が上下フランジとウェブとを有して水平方向へ延びる第２のＨ形鋼であり、連結板が第１のＨ形鋼の下端に取り付けられ、第２のＨ形鋼の上フランジにボルト孔を穿孔し、増設部材を第２のＨ形鋼の上フランジの側のウェブに設置し、コンクリート躯体の貫通孔と第２のＨ形鋼の上フランジのボルト孔とに挿通した連結ボルトによって連結板と増設部材とを連結することで、第１のＨ形鋼を第２のＨ形鋼の上フランジに連結する鉄骨構造物施工方法は、連結ボルトを挿通する貫通孔とボルト孔とをコンクリート躯体と第２のＨ形鋼の上フランジとに穿孔し、第２のＨ形鋼の上フランジの側のウェブに増設部材を設置し、貫通孔とボルト孔とに挿通した連結ボルトによって第１のＨ形鋼の下端に取り付けられた連結板と第２のＨ形鋼の上フランジの側に取り付けられた増設部材とを連結すればよく、はつり工事を行う必要がないから、不快なはつり音やはつり振動の発生や多量の塵埃の発生を防ぐことができ、静音および清浄な環境を維持した状態で既設鉄骨梁である第２のＨ形鋼の上フランジに新設鉄骨間柱である第１のＨ形鋼を取り付けた鉄骨構造物を施工することができる。鉄骨構造物施工方法は、はつり箇所に対する復旧工事を行う手間と時間とを節約することができ、コンクリート躯体の耐力の低下やコンクリート躯体の変形を防ぐことができるとともに、平日の昼間の時間に作業を行うことができ、平日の昼間の時間を有効に使用して既設建造物の既設鉄骨梁である第２のＨ形鋼に新設鉄骨間柱である第１のＨ形鋼を取り付けた鉄骨構造物を短時間に効率よく施工することができる。鉄骨構造物施工方法は、連結ボルトを利用して連結板と増設部材とを連結するから、溶接作業を必要とせず、溶接の熱による鉄骨部材の耐力の低下や鉄骨部材の変形を防ぐことができ、火災発生の危険がなく、あらゆる既設建造物の既設鉄骨梁である第２のＨ形鋼に新設鉄骨間柱である第１のＨ形鋼を取り付けた鉄骨構造物を安全に施工することができる。
【００２５】
鉄骨構造物が連結ボルトを挿通する鋼材スリーブを備え、鋼材スリーブをコンクリート躯体に穿孔された貫通孔に設置し、連結板と既設鉄骨梁との間に延びる鋼材スリーブに連結ボルトを挿通し、連結ボルトと鋼材スリーブとによって既設鉄骨梁と新設鉄骨間柱との接合部に生じる曲げ応力に抗する曲げ抵抗・伝達手段を形成する鉄骨構造物施工方法は、既設建造物に地震等の外力が作用し、既設鉄骨梁と新設鉄骨間柱との接合部に曲げ応力が生じた際に、連結ボルトと鋼材スリーブとから形成された曲げ抵抗・伝達手段がその曲げ応力に抵抗するとともに、既設鉄骨梁やコンクリート躯体と新設鉄骨間柱との間において曲げ応力を円滑に伝達することが可能な鉄骨構造物を施工することができる。
【００２６】
鉄骨構造物がコンクリート躯体の貫通孔に充填する充填材を備え、コンクリート躯体の貫通孔に充填材を充填し、貫通孔と鋼材スリーブの外周面との間隙と、連結ボルトと鋼材スリーブの内周面との間隙とのうちの少なくとも連結ボルトと鋼材スリーブの内周面との間隙が充填材によって埋められ、連結ボルトと鋼材スリーブとが貫通孔において硬化した充填材と一体になり、連結ボルトと鋼材スリーブと貫通孔において硬化した充填材とによって既設鉄骨梁と新設鉄骨間柱との接合部に生じる曲げ応力に抗する曲げ抵抗・伝達手段を形成する鉄骨構造物施工方法は、既設建造物に地震等の外力が作用し、既設鉄骨梁と新設鉄骨間柱との接合部に曲げ応力が生じた際に、連結ボルトと鋼材スリーブと貫通孔において硬化した充填材とから形成された曲げ抵抗・伝達手段がその曲げ応力に抵抗するとともに、既設鉄骨梁やコンクリート躯体と新設鉄骨間柱との間において曲げ応力を円滑に伝達することが可能な鉄骨構造物を施工することができる。
【００２７】
鉄骨構造物がコンクリート躯体の貫通孔に充填する充填材を備え、コンクリート躯体の貫通孔に充填材を充填し、貫通孔と連結ボルトとの間隙が充填材によって埋められ、連結ボルトが貫通孔において硬化した充填材と一体になり、連結ボルトと貫通孔において硬化した充填材とによって既設鉄骨梁と新設鉄骨間柱との接合部に生じる曲げ応力に抗する曲げ抵抗・伝達手段を形成する鉄骨構造物施工方法は、既設建造物に地震等の外力が作用し、既設鉄骨梁と新設鉄骨間柱との接合部に曲げ応力が生じた際に、連結ボルトと貫通孔において硬化した充填材とから形成された曲げ抵抗・伝達手段がその曲げ応力に抵抗するとともに、既設鉄骨梁やコンクリート躯体と新設鉄骨間柱との間において曲げ応力を円滑に伝達することが可能な鉄骨構造物を施工することができる。
【００２８】
鉄骨構造物が連結板に取り付けられて該連結板から下方へ延びる挿入棒と、コンクリート躯体に穿孔された挿入孔に充填する充填材とを備え、既設鉄骨梁の上に施工されたコンクリート躯体に前記挿入孔を穿孔し、コンクリート躯体の挿入孔に充填材を充填するとともに、コンクリート躯体の挿入孔に挿入棒を挿入し、挿入棒が挿入孔において硬化した充填材と一体になり、挿入棒と挿入孔において硬化した充填材とによって既設鉄骨梁と新設鉄骨間柱との接合部に生じるせん断応力に抗するせん断抵抗・伝達手段を形成する鉄骨構造物施工方法は、既設建造物に地震等の外力が作用し、既設鉄骨梁と新設鉄骨間柱との接合部にせん断応力が生じた際に、挿入孔に挿入された挿入棒と挿入孔において硬化した充填材とから形成されたせん断抵抗・伝達手段がそのせん断応力に抵抗するとともに、コンクリート躯体と新設鉄骨間柱との間においてせん断応力を円滑に伝達することが可能な鉄骨構造物を施工することができる。
【００２９】
鉄骨構造物が連結板に着脱可能に螺着または挿入された挿入ボルトと、コンクリート躯体に穿孔された挿入孔に充填する充填材とを備え、既設鉄骨梁の上に施工されたコンクリート躯体に挿入孔を穿孔し、コンクリート躯体の挿入孔に充填材を充填するとともに、コンクリート躯体の挿入孔に挿入ボルトを挿入し、挿入ボルトが挿入孔において硬化した充填材と一体になり、挿入ボルトと挿入孔において硬化した充填材とによって既設鉄骨梁と新設鉄骨間柱との接合部に生じるせん断応力に抗するせん断抵抗・伝達手段を形成する鉄骨構造物施工方法は、
既設建造物に地震等の外力が作用し、既設鉄骨梁と新設鉄骨間柱との接合部にせん断応力が生じた際に、挿入孔に挿入された挿入ボルトと挿入孔において硬化した充填材とから形成されたせん断抵抗・伝達手段がそのせん断応力に抵抗するとともに、コンクリート躯体と新設鉄骨間柱との間においてせん断応力を円滑に伝達することが可能な鉄骨構造物を施工することができる。
【００３０】
鉄骨構造物が連結板に穿孔された挿通孔とコンクリート躯体に穿孔された挿入孔とに挿入された金属柱を備え、既設鉄骨梁の上に施工されたコンクリート躯体に挿入孔を穿孔し、連結板の挿通孔とコンクリート躯体の挿入孔とに金属柱を挿入し、金属柱によって既設鉄骨梁と新設鉄骨間柱との接合部に生じるせん断応力に抗するせん断抵抗・伝達手段を形成する鉄骨構造物施工方法は、既設建造物に地震等の外力が作用し、既設鉄骨梁と新設鉄骨間柱との接合部にせん断応力が生じた際に、挿通孔および挿入孔に挿入された金属柱から形成されたせん断抵抗・伝達手段がそのせん断応力に抵抗するとともに、コンクリート躯体と新設鉄骨間柱との間においてせん断応力を円滑に伝達することが可能な鉄骨構造物を施工することができる。
【００３１】
鉄骨構造物が金属柱を挿入した連結板の挿通孔およびコンクリート躯体の挿入孔に充填する充填材を備え、連結板の挿通孔およびコンクリート躯体の挿入孔に充填材を充填し、挿通孔および挿入孔と金属柱の外周面との間隙が充填材によって埋められ、金属柱が挿通孔および挿入孔において硬化した充填材と一体になり、金属柱と挿通孔および挿入孔において硬化した充填材とによって既設鉄骨梁と新設鉄骨間柱との接合部に生じるせん断応力に抗するせん断抵抗・伝達手段を形成する鉄骨構造物施工方法は、既設建造物に地震等の外力が作用し、既設鉄骨梁と新設鉄骨間柱との接合部にせん断応力が生じた際に、挿通孔および挿入孔に挿入された金属柱と挿通孔および挿入孔において硬化した充填材とから形成されたせん断抵抗・伝達手段がそのせん断応力に抵抗するとともに、コンクリート躯体と新設鉄骨間柱との間においてせん断応力を円滑に伝達することが可能な鉄骨構造物を施工することができる。
【００３２】
鉄骨構造物が連結板の挿通孔およびコンクリート躯体の挿入孔に挿入された金属柱の頂部を押さえる押さえ板を備え、押さえ板を金属柱の頂部を含むその近傍に配置しつつ、押さえ板を連結板に固定し、金属柱と押さえ板とによって既設鉄骨梁と新設鉄骨間柱との接合部に生じるせん断応力に抗するせん断抵抗・伝達手段を形成する鉄骨構造物施工方法は、既設建造物に地震等の外力が作用し、既設鉄骨梁と新設鉄骨間柱との接合部にせん断応力が生じた際に、挿通孔および挿入孔に挿入された金属柱と金属柱の頂部を押さえる押さえ板とから形成されたせん断抵抗・伝達手段がそのせん断応力に抵抗するとともに、コンクリート躯体と新設鉄骨間柱との間においてせん断応力を円滑に伝達することが可能な鉄骨構造物を施工することができる。
【００３３】
鉄骨構造物が連結板に着脱可能に取り付けられて連結板をコンクリート躯体に連結するコネクト部材と、コンクリート躯体に穿孔された挿入孔に充填されて挿入孔において硬化した充填材とを備え、コネクト部材がコンクリート躯体の挿入孔に埋め込まれる脚部と脚部につながる板状ベースと連結板および板状ベースを接続する接続ボルトとから形成され、既設鉄骨梁の上に施工されたコンクリート躯体に前記挿入孔を穿孔し、コンクリート躯体の挿入孔に充填材を充填するとともに、コンクリート躯体の挿入孔にコネクト部材の脚部を埋め込んでコネクト部材を挿入孔に設置し、コネクト部材が挿入孔において硬化した充填材と一体になり、コネクト部材と挿入孔において硬化した充填材とによって既設鉄骨梁と新設鉄骨間柱との接合部に生じるせん断応力に抗するせん断抵抗・伝達手段を形成する鉄骨構造物施工方法は、既設建造物に地震等の外力が作用し、既設鉄骨梁と新設鉄骨間柱との接合部にせん断応力が生じた際に、コネクト部材と挿入孔において硬化した充填材とから形成されたせん断抵抗・伝達手段がそのせん断応力に抵抗するとともに、コンクリート躯体と新設鉄骨間柱との間においてせん断応力を円滑に伝達することが可能な鉄骨構造物を施工することができる。
【００３４】
せん断抵抗・伝達手段を新設鉄骨間柱の中央部の近傍に形成し、曲げ抵抗・伝達手段を新設鉄骨間柱の両側部の近傍に形成する鉄骨構造物施工方法は、既設建造物に地震等の外力が作用し、既設鉄骨梁と新設鉄骨間柱との接合部にせん断応力や曲げ応力が生じた際に、新設鉄骨間柱の中央部の近傍に形成されたせん断抵抗・伝達手段や新設鉄骨間柱の両側部の近傍に形成された曲げ抵抗・伝達手段がせん断応力や曲げ応力に十分に抵抗するとともに、既設鉄骨梁やコンクリート躯体と新設鉄骨間柱との間においてせん断応力や曲げ応力を円滑に伝達することが可能な鉄骨構造物を施工することができる。
【００３５】
せん断抵抗・伝達手段を新設鉄骨間柱である第１のＨ形鋼のウェブに沿って形成し、曲げ抵抗・伝達手段を新設鉄骨間柱である第１のＨ形鋼の一方のフランジの近傍と他方のフランジの近傍とに形成する鉄骨構造物施工方法は、既設建造物に地震等の外力が作用し、既設鉄骨梁と新設鉄骨間柱との接合部にせん断応力や曲げ応力が生じた際に、新設鉄骨間柱を形成する第１のＨ形鋼のウェブに沿って形成されたせん断抵抗・伝達手段や新設鉄骨間柱を形成する第１のＨ形鋼の一方のフランジの近傍と他方のフランジの近傍とに形成された曲げ抵抗・伝達手段がせん断応力や曲げ応力に十分に抵抗するとともに、既設鉄骨梁やコンクリート躯体と新設鉄骨間柱との間においてせん断応力や曲げ応力を円滑に伝達することが可能な鉄骨構造物を施工することができる。
【図面の簡単な説明】
【００３６】
【図１】鉄骨構造物施工方法によって施工された一例として示す鉄骨構造物の正面図。
【図２】一例として示す新設鉄骨間柱の上面図。
【図３】一例として示す鋼材スリーブの斜視図。
【図４】一例として示す増設部材の斜視図。
【図５】図１の鉄骨構造物を施工するための第１孔穿孔工程、鋼材スリーブ設置工程、増設部材設置工程、間柱連結工程の一例を示す正面図。
【図６】図１の鉄骨構造物を施工するための第２穿孔工程、挿入ボルト挿入工程、充填材第２充填工程の一例を示す正面図。
【図７】鉄骨構造物施工方法によって施工された他の一例として示す鉄骨構造物の正面図。
【図８】図７の鉄骨構造物を構築するための第１穿孔工程、鋼材スリーブ設置工程、充填材第１充填工程、増設部材設置工程、間柱連結工程の一例を示す正面図。
【図９】鉄骨構造物施工方法によって施工された他の一例として示す鉄骨構造物の正面図。
【図１０】図９の鉄骨構造物を施工するための第１穿孔工程、充填材第１充填工程、増設部材設置工程、間柱連結工程の一例を示す正面図。
【図１１】図９の鉄骨構造物を施工するための第２穿孔工程、挿入棒挿入工程、充填材第２充填工程の一例を示す正面図。
【図１２】鉄骨構造物施工方法によって施工された他の一例として示す鉄骨構造物の正面図。
【図１３】図１２の鉄骨構造物を施工するための第２穿孔工程、金属柱挿入工程の一例を示す正面図。
【図１４】鉄骨構造物施工方法によって施工された他の一例として示す鉄骨構造物の正面図。
【図１５】図１４の鉄骨構造物を施工するための第２穿孔工程、金属柱挿入工程、充填材第２充填工程の一例を示す正面図。
【図１６】鉄骨構造物施工方法によって施工された他の一例として示す鉄骨構造物の正面図。
【図１７】図１６の鉄骨構造物を構築するための第２穿孔工程、金属柱挿入工程、充填材第２充填工程、押さえ板固定工程の一例を示す正面図。
【図１８】鉄骨構造物施工方法によって施工された他の一例として示す鉄骨構造物の正面図。
【図１９】一例として示すコネクト部材の斜視図。
【図２０】図１８の鉄骨構造物を施工するための第２穿孔工程、充填材第２充填工程、コネクト部材設置工程の一例を示す正面図。
【図２１】他の一例として示す新設鉄骨間柱の上面図。
【図２２】他の一例として示す新設鉄骨間柱の上面図。
【図２３】他の一例として示す鋼材スリーブの斜視図。
【発明を実施するための形態】
【００３７】
鉄骨構造物施工方法によって施工された一例として示す鉄骨構造物１０Ａの正面図である図１等の添付の図面を参照し、発明に係る鉄骨構造物施工方法の詳細を説明すると、以下のとおりである。なお、図２は、一例として示す新設鉄骨間柱１２の上面図であり、図３は、一例として示す鋼材スリーブ１４の斜視図である。図４は、一例として示す増設部材１６の斜視図である。図１では、垂直方向を矢印Ａで示し、水平方向を矢印Ｂで示す。鉄骨構造物施工方法は、超高層ビルや高層ビル、中層ビル、低層ビル、工場等の既設のあらゆる既設建造物に鉄骨構造物１０Ａ（鉄骨構造物１０Ｂ〜１０Ｇを含む）を施工する。
【００３８】
鉄骨構造物施工方法は、第１穿孔工程、鋼材スリーブ設置工程、増設部材設置工程、間柱連結工程、第２穿孔工程、挿入ボルト挿入工程、充填材第２充填工程によって鉄骨構造物１０Ａを施工（構築）する。なお、それら工程の実施順番について特に取り決めはなく、現場の状況や施工の容易さ等によって各工程の実施順番を任意に決めて各工程を実施する。
【００３９】
図１に示す鉄骨構造物１０Ａは、既設建造物の既設鉄骨梁１１および新設鉄骨間柱１２と、連結板１３および複数個の鋼材スリーブ１４（管材）と、複数本の連結ボルト１５および複数の増設部材１６と、複数本の挿入ボルト１７および充填材１８とから形成されている。なお、図１では、１本の新設鉄骨間柱１２を図示しているが、実際には、複数本の新設鉄骨間柱１２が既設鉄骨梁１１に取り付けられる（図７や図９、図１２、図１４、図１６、図１８も同様）。鋼材スリーブ１４の個数、連結ボルト１５および挿入ボルト１７の本数、増設部材１６の数について特に制限はなく、鉄骨構造物１０Ａの大きさや求められる強度等によってそれらの数を決定する。
【００４０】
既設鉄骨梁１１には、鋼材から作られた水平方向へ延びるＨ形鋼１９（第２のＨ形鋼）が使用されている。既設鉄骨梁１１であるＨ形鋼１９は、水平方向へ延びる上フランジ２０と、上フランジ２０に平行して水平方向へ延びる下フランジ２１と、それらフランジ２０，２１の間に位置して水平方向へ延びるウェブ２２とから形成されている。上フランジ２０およびウェブ２２には、ボルト孔２３が穿孔されている。
【００４１】
既設鉄骨梁１１は、Ｈ形鋼から形成された既設の主柱（図示せず）に連結されている。なお、既設鉄骨梁１１がＨ形鋼ではなく、Ｉ形鋼やＴ形鋼、山形鋼、溝形鋼、Ｚ形鋼等であってもよく、既設の主柱がＨ形鋼ではなく、Ｉ形鋼やＴ形鋼、山形鋼、溝形鋼、Ｚ形鋼、口形鋼、日形鋼、Ｏ形鋼等であってもよい。既設鉄骨梁１１（上フランジ２０）の上には、所定の厚み寸法の既設コンクリートスラブ２４（コンクリート躯体）が施工されている。コンクリートスラブ２４の所定の箇所には、水平方向へ並ぶ断面円形の貫通孔２５および断面円形の挿入孔２６が穿孔されている。
【００４２】
新設鉄骨間柱１２は、既設鉄骨梁１１の上に取り付けられて既設鉄骨梁１１から垂直方向上方へ延びている。新設鉄骨間柱１２には、鋼材から作られた垂直方向へ延びるＨ形鋼２７（第１のＨ形鋼）が使用されている。新設鉄骨間柱１２であるＨ形鋼２７は、垂直方向へ延びる一方のフランジ２８と、一方のフランジ２８に平行して垂直方向へ延びる他方のフランジ２９と、それらフランジ２８，２９の間に位置して垂直方向へ延びるウェブ３０とから形成されている。なお、新設鉄骨間柱１２がＨ形鋼ではなく、Ｉ形鋼やＴ形鋼、山形鋼、溝形鋼、Ｚ形鋼、口形鋼、日形鋼、Ｏ形鋼等であってもよい。
【００４３】
連結板１３は、鋼材から作られ、板状に成形されて所定面積および所定厚みを有する。連結板１３は、新設鉄骨間柱１２の下端（フランジ２８，２９およびウェブ３０の下端）に溶接によって取り付けられている（溶着されている）。連結板１３は、新設鉄骨間柱１２の下端において水平方向へ延びている。連結板１３は、工場においてあらかじめ新設鉄骨間柱１２の下端に取り付けられ、現場に搬送される。
【００４４】
連結板１３は、新設鉄骨間柱１２であるＨ形鋼２７の一方のフランジ２８と他方のフランジ２９との間に延びる中央部３１と、Ｈ形鋼２７のそれらフランジ２８，２９から水平方向側方に延びる両側部３２，３３とを有する。連結板１３の中央部３１および両側部３２，３３には、ボルト孔２３が穿孔されている。連結板１３は、コンクリートスラブ２４（コンクリート躯体）の上に配置（載置）されている。連結板１３とコンクリートスラブ２４との間には、充填材３４が充填されている。充填材３４は、連結板１３とコンクリートスラブ２４との間において硬化している。充填材１８，３４（後記する充填材４７を含む）には、無収縮モルタルや高強度コンクリート等の無機系の充填材、エポキシ樹脂等の有機系の充填材等の使用可能なあらゆる充填材を使用することができる。
【００４５】
それら鋼材スリーブ１４（管材）は、鋼材から作られ、その断面形状が円形の筒状に成形されている。鋼材スリーブ１４は、コンクリートスラブ２４に穿孔された貫通孔２５に挿通されて垂直方向へ延びている。鋼材スリーブ１４は、その上端が連結板１３の下面に当接していることが好ましい。それら連結ボルト１５は、鋼材から作られている。連結ボルト１５は、鋼材スリーブ１４（貫通孔２５）に挿通され、連結板１３から既設鉄骨梁１１を形成するＨ形鋼１９の上フランジ２０に向かって垂直方向へ延びている。
【００４６】
連結ボルト１５は、連結板１３の両側部３２，３３に穿孔されたボルト孔２３に挿入または螺着され、連結板１３の中央部３１であって一方のフランジ２８の近傍に穿孔されたボルト孔２３に挿入または螺着されているとともに、連結板１３の中央部３１であって他方のフランジ２９の近傍に穿孔されたボルト孔２３に挿入または螺着されている。連結ボルト１５は、連結板１３から垂直方向上方へ露出する螺子部３５にナット３６（固定手段）が螺着され、連結板１３に強固に連結されている。
【００４７】
それら増設部材１６は、鋼材から作られ、既設鉄骨梁１１を形成するＨ形鋼１９の上フランジ２０の側（上フランジ２０の直下）に配置されている。増設部材１６は、既設鉄骨梁１１のウェブ２２に平行して垂直方向へ延びる所定面積および所定厚みの取付板部３７と、既設鉄骨梁１１の上フランジ２０に平行して水平方向へ延びる所定面積および所定厚みの接続板部３８と、取付板部３７および接続板部３８の中央に位置して垂直方向へ延びる所定面積および所定厚みの補強板部３９とから形成されている。増設部材１６では、取付板部３７や接続板部３８、補強板部３９が一体に成形されている。取付板部３７および接続板部３８には、ボルト孔２３が穿孔されている。
【００４８】
増設部材１６は、その取付板部３７に穿孔されたボルト孔２３と既設鉄骨梁１１を形成するＨ形鋼１９のウェブ２２のボルト孔２３とに挿通または螺着された固定ボルト４０によって既設鉄骨梁１１（Ｈ形鋼１９）に強固に固定されている。固定ボルト４０には、ナット（図示せず）が螺着されている。連結ボルト１５は、増設部材１６の接続板部３８のボルト孔２３に挿通され、鋼材スリーブ１４（貫通孔２５）に挿通されているとともに、連結板１３のボルト孔２３に挿通または螺着されている。連結ボルト１５は、ナット３６によって連結板１３に固定されることで、連結板１３と増設部材１６とを連結している。
【００４９】
鉄骨構造物１０Ａでは、鋼材スリーブ１４（貫通孔２５）に挿通された連結ボルト１５によって連結板１３と増設部材１６（既設鉄骨梁１１）とが連結されることで、新設鉄骨間柱１２を形成するＨ形鋼２７（第１のＨ形鋼）の下端が既設鉄骨梁１１を形成するＨ形鋼１９（第２のＨ形鋼）の上フランジ２０に連結され、新設鉄骨間柱１２が既設鉄骨梁１１に取り付けられている。
【００５０】
鉄骨構造物１０Ａでは、連結ボルト１５が引っ張り応力に抵抗し、鋼材スリーブ１４が圧縮応力に抵抗するから、連結ボルト１５と鋼材スリーブ１４とが既設鉄骨梁１１（Ｈ形鋼１９）と新設鉄骨間柱１２（Ｈ形鋼２７）との接合部に生じる曲げ応力（引っ張り応力および圧縮応力）に抗する曲げ抵抗・伝達手段を形成している。曲げ抵抗・伝達手段は、新設鉄骨間柱１２の両側部であって、新設鉄骨間柱１２を形成するＨ形鋼２７の一方のフランジ２８の近傍と他方のフランジ２９の近傍とに形成され、新設鉄骨間柱１２の中央部であって、新設鉄骨間柱１２を形成するＨ形鋼２７の一方のフランジ２８の近傍に形成されるとともに、新設鉄骨間柱１２の中央部であって、新設鉄骨間柱１２を形成するＨ形鋼２７の他方のフランジ２９の近傍に形成される。
【００５１】
それら挿入ボルト１７は、鋼材から作られている。挿入ボルト１７は、連結板１３の中央部３１に穿孔されたボルト孔２３に螺着または挿入され、連結板１３から既設鉄骨梁１１（上フランジ２０）に向かって垂直方向へ延びている。挿入ボルト１７は、連結板１３を挟むように螺着されたナット３６によって連結板１３に取り付けられている。挿入ボルト１７の連結板１３から下方へ露出する露出部分４１（頭部を含む）は、コンクリートスラブ２４（コンクリート躯体）に穿孔された挿入孔２６に挿入されている。なお、図１では、挿入孔２６がコンクリートスラブ２４を貫通しているが、挿入ボルト１７（後記する挿入棒４６、金属柱４８、コネクト部材５２）を挿入するのに十分な深さがあればよく、挿入孔２６がコンクリートスラブ２４を途中までに穿孔した断面円形の穴溝であってもよい。
【００５２】
充填材１８は、挿入孔２６に充填されている。挿入孔２６では、充填材１８が硬化し、挿入ボルト１７と硬化した充填材１８とが一体になっている。鉄骨構造物１０Ａでは、挿入ボルト１７と挿入孔２６において硬化した充填材１８とが既設鉄骨梁１１（Ｈ形鋼１９）と新設鉄骨間柱１２（Ｈ形鋼２７）との接合部に生じるせん断応力に抗するせん断抵抗・伝達手段を形成している。せん断抵抗・伝達手段は、新設鉄骨間柱１２の中央部であって、新設鉄骨間柱１２を形成するＨ形鋼２７のウェブ３０に沿って形成されている。
【００５３】
図５は、図１の鉄骨構造物１０Ａを施工するための第１穿孔工程、鋼材スリーブ設置工程、増設部材設置工程、間柱連結工程の一例を示す正面図であり、図６は、図１の鉄骨構造物１０Ａを施工するための第２穿孔工程、挿入ボルト挿入工程、充填材第２充填工程の一例を示す正面図である。鉄骨構造物施工方法は、それら連結ボルト１５によって連結板１３と増設部材１６（既設鉄骨梁１１）とを連結し、新設鉄骨間柱１２であるＨ形鋼２７（第１のＨ形鋼）の下端を既設鉄骨梁１１であるＨ形鋼１９（第２のＨ形鋼）の上フランジ２０に連結して鉄骨構造物１０Ａを施工するとともに、曲げ抵抗・伝達手段を形成する。さらに、それら挿入ボルト１７によって連結板１３（新設鉄骨間柱１２）とコンクリートスラブ２４（コンクリート躯体）とを接続し、せん断抵抗・伝達手段を形成する。
【００５４】
第１穿孔工程では、既設鉄骨梁１１に対する新設鉄骨間柱１２の設置箇所を選定し、図５の（ａ）に示すように、設置箇所に施工されたコンクリートスラブ２４の所定の位置に電動ドリルドライバー（図示せず）のドリルビット４２によって貫通孔２５を穿孔するとともに、既設鉄骨梁１１の上フランジ２０にボルト孔２３を穿孔する。次に、図５の（ｂ）に示すように、ドリルビット４２によって穿孔したコンクリートスラブ２４の貫通孔２５の周囲をコア抜きドリル４３を利用してコア抜きし、コンクリートスラブ２４に断面円形の貫通孔２５を穿孔する。なお、貫通孔２５の穿孔手順は図示のそれに限らず、公知の全ての穿孔手順によって貫通孔２５を穿孔することができる（後記する貫通孔２５の穿孔手順も同様）。
【００５５】
第２穿孔工程では、図６の（ａ）に示すように、既設鉄骨梁１１に対する新設鉄骨間柱１２の設置箇所に施工されたコンクリートスラブ２４の所定の位置にコア抜きドリル４３を利用して挿入孔２６を穿孔する。次に、図６の（ｂ）に示すように、挿入ボルト１７の頭部を下にした状態で、連結板１３に穿孔されたボルト孔２３に連結板１３の下方から上方に向かって挿入ボルト１７の螺子部４４を挿入または螺着し、連結板１３を挟むようにナット３６を挿入ボルト１７の螺子部４４に螺着して挿入ボルト１７を連結板１３に取り付ける。なお、挿入ボルト１７に頭部がない場合もある。連結板１３のボルト孔２７の近傍には、充填材１８を充填する充填材充填口４５が形成されている。第１穿孔工程と第２穿孔工程とは、それら工程を同時に行うことができ、または、それら工程のうちのいずれか一方を先に行うことができる。
【００５６】
鋼材スリーブ設置工程では、コア抜きドリル４３によってコンクリートスラブ２４に貫通孔２５を穿孔した後、図５の（ｃ）に示すように、その貫通孔２５に鋼材スリーブ１４を挿入し、貫通孔２５に鋼材スリーブ１４を設置する。鋼材スリーブ１４は、その下端が既設鉄骨梁１１の上フランジ２０に当接し、その上端が連結板１３の下面に当接するように設置する。鋼材スリーブ１４の上端と連結板１３の下面との間に隙間が生じる場合は、その隙間にフィラープレートを差し込み、または、鋼材スリーブ１４を長めに作り、貫通孔２５に設置した後、余分な部分を削除する。あるいは、鋼材スリーブ１４に長さ調節機構を形成し、現場において調節機構を利用して長さ調節を行う。
【００５７】
増設部材設置工程では、増設部材１６を既設鉄骨梁１１であるＨ形鋼１９の上フランジ２０の側（上フランジ２０の直下）に配置し、増設部材１６の取付板部３７を既設鉄骨梁１１のウェブ２２に当接させ、増設部材１６の接続板部３８を既設鉄骨梁１１の上フランジ２０に当接させる。次に、増設部材１６の取付板部３７に穿孔されたボルト孔２３と既設鉄骨梁１１であるＨ形鋼１９のウェブ２２のボルト孔２３とに固定ボルト４０を挿通または螺着し、固定ボルト４０にナット（図示せず）を螺着することで、増設部材１６を既設鉄骨梁１１のウェブ２２に固定する。鋼材スリーブ設置工程と増設部材設置工程とは、それら工程を同時に行うことができ、または、それら工程のうちのいずれか一方を先に行うことができる。
【００５８】
挿入ボルト挿入工程では、貫通孔２５に鋼材スリーブ１４を挿入・設置するとともに、挿入ボルト１７を連結板１３に取り付けた後、図６の（ｃ）に示すように、連結板１３を挿入孔２６に向かって下方へ移動させ、連結板１３から下方へ露出する挿入ボルト１７の露出部分４１をコンクリートスラブ２４の挿入孔２６に挿入する。連結板１３は、新設鉄骨間柱１２の設置箇所のコンクリートスラブ２４の上に配置（載置）される。
【００５９】
間柱連結工程では、図５の（ｄ）に示すように、連結ボルト１５の頭部を下にした状態で、増設部材１６の接続板部３８に穿孔されたボルト孔２３に増設部材１６の下方から上方に向かって連結ボルト１５を挿入しつつ、連結ボルト１５を既設鉄骨梁１１の上フランジ２０のボルト孔２３に挿通するとともに鋼材スリーブ１４（貫通孔２５）に挿通する。なお、連結ボルト１５を上方から下方に向かって挿入する場合もある。
【００６０】
連結ボルト１５を鋼材スリーブ１４（貫通孔２５）に挿通した後、図５の（ｅ）に示すように、連結ボルト１５の螺子部３５を連結板１３に穿孔されたボルト孔２３に挿入または螺着し、連結板１３の上方へ露出する連結ボルト１５の螺子部３５にナット３６（固定手段）を螺着する。連結板１３の上方へ露出する連結ボルト１５の螺子部３５にナット３６を螺着することで、連結板１３と増設部材１６とが連結され、既設鉄骨梁１１であるＨ形鋼１９の上フランジ２０に新設鉄骨間柱１２であるＨ形鋼２７が連結される。
【００６１】
充填材第２充填工程では、連結板１３の充填材充填口４５から挿入孔２６に充填材１８を充填（注入）する。挿入孔２６に充填された充填材１８は、養生期間が経過すると、挿入孔２６において硬化する。挿入孔２６では、図６の（ｄ）に示すように、挿入ボルト１７が挿入孔２６において硬化した充填材１８と一体になっている。次に、連結板１３とコンクリートスラブ２４の表面との間のスペースに充填材３４を充填する。充填材３４は、養生期間が経過すると、スペースにおいて硬化する。なお、既設鉄骨梁１１の上フランジ２０（コンクリートスラブ２４の表面）に対する連結板１３（新設鉄骨間柱１２）の平行状態が充填材３４によって調節されている。
【００６２】
図１の鉄骨構造物１０Ａを施工するための鉄骨構造物施工方法の他の一例としては、コンクリートスラブ２４の所定の位置に挿入孔２６を穿孔した後、挿入孔２６に充填材１８を充填する（充填材第２充填工程）。次に、挿入ボルト１７（露出部分４１）をコンクリートスラブ２４の挿入孔２６（充填材１８）に挿入し（挿入ボルト挿入工程）、連結板１３のボルト孔２３に挿入ボルト１７を挿通して連結板１３をコンクリートスラブ２４の上に設置し、ナット３６を挿入ボルト１７の螺子部４４に螺着して挿入ボルト１７を連結板１３に取り付ける。または、挿入ボルト１７を取り付けた連結板１３を挿入孔２６に向かって下方へ移動させ、連結板１３から下方へ露出する挿入ボルト１７の露出部分４１をコンクリートスラブ２４の挿入孔２６（充填材１８）に挿入し（挿入ボルト挿入工程）、連結板１３をコンクリートスラブ２４の上に設置する。次に、連結ボルト１５によって連結板１３と増設部材１６とを連結する（間柱連結工程）。この場合、連結板１３に充填材充填口４５は作られない。
【００６３】
鉄骨構造物施工方法では、連結ボルト１５と鋼材スリーブ１４とから既設鉄骨梁１１（Ｈ形鋼１９）と新設鉄骨間柱１２（Ｈ形鋼２７）との接合部に生じる曲げ応力（引っ張り応力および圧縮応力）に抗する曲げ抵抗・伝達手段が形成される。曲げ抵抗・伝達手段は、新設鉄骨間柱１２の両側部であって新設鉄骨間柱１２を形成するＨ形鋼２７の一方のフランジ２８の近傍と他方のフランジ２９の近傍とに形成され、新設鉄骨間柱１２の中央部であって新設鉄骨間柱１２を形成するＨ形鋼２７の一方のフランジ２８の近傍に形成されるとともに、新設鉄骨間柱１２の中央部であって新設鉄骨間柱１２を形成するＨ形鋼２７の他方のフランジ２９の近傍に形成される。
【００６４】
鉄骨構造物施工方法では、挿入ボルト１７と挿入孔２６において硬化した充填材１８とから既設鉄骨梁１１（Ｈ形鋼１９）と新設鉄骨間柱１２（Ｈ形鋼２７）との接合部に生じるせん断応力に抗するせん断抵抗・伝達手段が形成される。せん断抵抗・伝達手段は、新設鉄骨間柱１２の中央部であって新設鉄骨間柱１２であるＨ形鋼２７のウェブ３０に沿って形成される。
【００６５】
鉄骨構造物施工方法は、既設鉄骨梁１１であるＨ形鋼１９（第２のＨ形鋼）の上フランジ２０の上に施工されたコンクリートスラブ２４（コンクリート躯体）に貫通孔２５を穿孔し、新設鉄骨間柱１２であるＨ形鋼２７（第１のＨ形鋼）の下端に取り付けられた連結板１３を既設鉄骨梁１１のＨ形鋼１９（第２のＨ形鋼）の上フランジ２０の上に施工されたコンクリートスラブ２４（コンクリート躯体）の上に配置（載置）し、コンクリートスラブ２４の貫通孔２５に設置された鋼材スリーブ１４に挿通された連結ボルト１５によって連結板１３と増設部材１６（既設鉄骨梁１１）とを連結することで、新設鉄骨間柱１２を既設鉄骨梁１１に連結するから、連結ボルト１５を挿通する貫通孔２５をコンクリートスラブ２４に穿孔し、その貫通孔２５に鋼材スリーブ１４を設置しつつ、鋼材スリーブ１４に挿通した連結ボルト１５によって連結板１３と増設部材１６（既設鉄骨梁１１）とを連結すればよく、はつり工事を行う必要がなく、不快なはつり音やはつり振動の発生や多量の塵埃の発生を防ぐことができ、静音および清浄な環境を維持した状態で既設建造物の既設鉄骨梁１１に新設鉄骨間柱１２を取り付けた鉄骨構造物１０Ａを施工（構築）することができる。
【００６６】
鉄骨構造物施工方法は、はつり音およびはつり振動の発生や多量の塵埃の発生を防ぐことができるから、平日の昼間の時間に作業を行うことができ、平日の昼間の時間を有効に使用して既設建造物の既設鉄骨梁１１（Ｈ形鋼１９）に新設鉄骨間柱１２（Ｈ形鋼２７）を取り付けた鉄骨構造物１０Ａを短時間に効率よく施工することができる。鉄骨構造物施工方法は、コンクリートをはつる必要がないから、はつり箇所に対する復旧工事を行う手間と時間とを節約することができるとともに、コンクリートスラブ２４（コンクリート躯体）の耐力の低下やコンクリートスラブ２４の変形を防ぎつつ既設建造物の既設鉄骨梁１１（Ｈ形鋼１９）に新設鉄骨間柱１２（Ｈ形鋼２７）を取り付けた鉄骨構造物１０Ａを短時間に効率よく施工することができる。
【００６７】
鉄骨構造物施工方法は、鋼材スリーブ１４（貫通孔２５）に挿通された連結ボルト１５を利用して新設鉄骨間柱１２が既設鉄骨梁１１に連結されているから、溶接作業を必要とせず、溶接の熱による鉄骨部材の耐力の低下や鉄骨部材の変形を防ぐことができ、火災発生の危険がなく、超高層ビルや高層ビル、中層ビル、低層ビル、工場等のあらゆる既設建造物において、既設鉄骨梁１１（Ｈ形鋼１９）に新設鉄骨間柱１２（Ｈ形鋼２７）を取り付けた鉄骨構造物１０Ａを安全に施工することができる。
【００６８】
鉄骨構造物施工方法は、挿入孔２６に挿入された挿入ボルト１７と挿入孔２６において硬化した充填材１８とが既設鉄骨梁１１（Ｈ形鋼１９）と新設鉄骨間柱１２（Ｈ形鋼２７）との接合部に生じるせん断応力に抗するせん断抵抗・伝達手段を形成するから、既設建造物に地震等の外力が作用し、既設鉄骨梁１１と新設鉄骨間柱１２との接合部にせん断応力が生じた際に、挿入孔２６に挿入した挿入ボルト１７と挿入孔２６において硬化した充填材１８とから形成されたせん断抵抗・伝達手段がそのせん断応力に抵抗するとともに、コンクリートスラブ２４（コンクリート躯体）と新設鉄骨間柱１２との間においてせん断応力を円滑に伝達することが可能な鉄骨構造物１０Ａを施工することができる。
【００６９】
鉄骨構造物施工方法は、貫通孔２５に挿通された連結ボルト１５と貫通孔２５に設置された鋼材スリーブ１４とが既設鉄骨梁１１（Ｈ形鋼１９）と新設鉄骨間柱１２（Ｈ形鋼２７）との接合部に生じる曲げ応力（引っ張り応力および圧縮応力）に抗する曲げ抵抗・伝達手段を形成するから、既設建造物に地震等の外力が作用し、既設鉄骨梁１１と新設鉄骨間柱１２との接合部に曲げ応力が生じた際に、貫通孔２５に挿通した連結ボルト１５と貫通孔２５に設置した鋼材スリーブ１４とから形成された曲げ抵抗・伝達手段がその曲げ応力に抵抗するとともに、既設鉄骨梁１１やコンクリートスラブ２４（コンクリート躯体）と新設鉄骨間柱１２との間において曲げ応力を円滑に伝達することが可能な鉄骨構造物１０Ａを施工することができる。
【００７０】
鉄骨構造物施工方法は、新設鉄骨間柱１２のＨ形鋼２７のウェブ３０に沿ってせん断抵抗・伝達手段を形成し、新設鉄骨間柱１２のＨ形鋼２７の一方のフランジ２８の近傍と他方のフランジ２９の近傍とに曲げ抵抗・伝達手段を形成するから、既設建造物に地震等の外力が作用し、既設鉄骨梁１１と新設鉄骨間柱１２との接合部にせん断応力や曲げ応力が生じた際に、新設鉄骨間柱１２である第１のＨ形鋼２７のウェブ３０に沿って形成されたせん断抵抗・伝達手段や新設鉄骨間柱１２である第１のＨ形鋼２７の一方のフランジ２８の近傍と他方のフランジ２９の近傍とに形成された曲げ抵抗・伝達手段がせん断応力や曲げ応力に十分に抵抗するとともに、既設鉄骨梁１１（Ｈ形鋼１９）やコンクリートスラブ２４（コンクリート躯体）と新設鉄骨間柱１２（Ｈ形鋼２７）との間においてせん断応力や曲げ応力を円滑に伝達することが可能な鉄骨構造物１０Ａを施工することができる。
【００７１】
図７は、鉄骨構造物施工方法によって施工された他の一例として示す鉄骨構造物１０Ｂの正面図である。図７では、垂直方向を矢印Ａで示し、水平方向を矢印Ｂで示す。鉄骨構造物施工方法は、第１穿孔工程、鋼材スリーブ設置工程、充填材第１充填工程、増設部材設置工程、間柱連結工程、第２穿孔工程、挿入ボルト挿入工程、充填材第２充填工程によって鉄骨構造物１０Ｂを施工する。なお、それら工程の実施順番について特に取り決めはなく、現場の状況や施工の容易さ等によって各工程の実施順番を任意に決めて各工程を実施する。
【００７２】
図７に示す鉄骨構造物１０Ｂは、既設建造物の既設鉄骨梁１１および新設鉄骨間柱１２と、連結板１３および複数個の鋼材スリーブ１４（管材）と、複数本の連結ボルト１５および複数の増設部材１６と、複数本の挿入ボルト１７および充填材１８，４７とから形成されている。鋼材スリーブ１４の個数、連結ボルト１５および挿入ボルト１７の本数、増設部材１６の数について特に制限はなく、鉄骨構造物１０Ｂの大きさや求められる強度等によってそれらの数を決定する。
【００７３】
鉄骨構造物１０Ｂを形成する既設鉄骨梁１１や新設鉄骨間柱１２には、図１のそれらと同一のＨ形鋼１９，２７（第１のＨ形鋼、第２のＨ形鋼）が使用されている。既設鉄骨梁１１（上フランジ２０）の上には、既設コンクリートスラブ２４（コンクリート躯体）が施工され、コンクリートスラブ２４の所定の箇所には、水平方向へ並ぶ断面円形の貫通孔２５および断面円形の挿入孔２６が穿孔されている。
【００７４】
鉄骨構造物１０Ｂを形成する連結板１３は、図１のそれと同一であり、コンクリートスラブ２４（コンクリート躯体）の上に配置（載置）されている。連結板１３のボルト孔２３の近傍には、充填材４７を充填する充填材充填口４５が形成されている。連結板１３とコンクリートスラブ２４との間には、充填材３４が充填されている。鉄骨構造物１０Ｂを形成するそれら鋼材スリーブ１４は、図１のそれと同一であり、コンクリートスラブ２４に穿孔された貫通孔２５に挿入・設置されている。
【００７５】
鉄骨構造物１０Ｂを形成するそれら連結ボルト１５は、図１のそれと同一であり、鋼材スリーブ１４（貫通孔２５）に挿通されて連結板１３から既設鉄骨梁１１を形成するＨ形鋼１９の上フランジ２０に向かって垂直方向へ延びている。連結ボルト１５は、連結板１３から垂直方向上方へ露出する螺子部３５にナット３６（固定手段）が螺着され、連結板１３に連結されている。鉄骨構造物１０Ｂを形成するそれら増設部材１６は、図１のそれと同一であり、既設鉄骨梁１１の上フランジ２０の側（上フランジ２０の直下）に配置されている。増設部材１６は、固定ボルト４０およびナットによって既設鉄骨梁１１のウェブ２２に固定されている。
【００７６】
連結ボルト１５は、増設部材１６の接続板部３８のボルト孔２３に挿通され、鋼材スリーブ１４（貫通孔２５）に挿通されているとともに、連結板１３のボルト孔２３に挿通または螺着され、螺子部３５に螺着されたナット３６によって連結板１３に固定されることで、連結板１３と増設部材１６とを連結している。鉄骨構造物１０Ｂを形成する充填材４７は、コンクリートスラブ２４に穿孔された貫通孔２５に充填され、貫通孔２５において硬化している。
【００７７】
鉄骨構造物１０Ｂでは、貫通孔２５と鋼材スリーブ１４の外周面との間隙が充填材４７によって埋められているとともに、連結ボルト１５と鋼材スリーブ１４の内周面との間隙が充填材４７によって埋められている。貫通孔２５では、連結ボルト１５と鋼材スリーブ１４と硬化した充填材４７とが一体になっている。
【００７８】
鉄骨構造物１０Ｂでは、鋼材スリーブ１４（貫通孔２５）に挿通された連結ボルト１５によって連結板１３と増設部材１６（既設鉄骨梁１１）とが連結されることで、新設鉄骨間柱１２を形成するＨ形鋼２７（第１のＨ形鋼）の下端が既設鉄骨梁１１を形成するＨ形鋼１９（第２のＨ形鋼）の上フランジ２０に連結され、新設鉄骨間柱１２が既設鉄骨梁１１に取り付けられている。
【００７９】
鉄骨構造物１０Ｂでは、連結ボルト１５が引っ張り応力に抵抗し、鋼材スリーブ１４と充填材４７とが圧縮応力に抵抗するから、連結ボルト１５と鋼材スリーブ１４と充填材４７とが既設鉄骨梁１１（Ｈ形鋼１９）と新設鉄骨間柱１２（Ｈ形鋼２７）との接合部に生じる曲げ応力（引っ張り応力および圧縮応力）に抗する曲げ抵抗・伝達手段を形成している。曲げ抵抗・伝達手段は、新設鉄骨間柱１２の両側部であって、新設鉄骨間柱１２を形成するＨ形鋼２７の一方のフランジ２８の近傍と他方のフランジ２９の近傍とに形成され、新設鉄骨間柱１２の中央部であって、新設鉄骨間柱１２を形成するＨ形鋼２７の一方のフランジ２８の近傍に形成されるとともに、新設鉄骨間柱１２の中央部であって、新設鉄骨間柱１２を形成するＨ形鋼２７の他方のフランジ２９の近傍に形成される。
【００８０】
鉄骨構造物１０Ｂを形成するそれら挿入ボルト１７は、図１のそれと同一であり、連結板１３の中央部３１に穿孔されたボルト孔２３に挿入または螺着され、連結板１３から既設鉄骨梁１１（上フランジ２０）に向かって垂直方向へ延びている。挿入ボルト１７は、連結板１３を挟むように螺着されたナット３６によって連結板１３に取り付けられている。挿入ボルト１７の連結板１３から下方へ露出する露出部分４１（頭部を含む）は、コンクリートスラブ２４（コンクリート躯体）に穿孔された挿入孔２６に挿入されている。
【００８１】
充填材１８は、挿入孔２６に充填されている。挿入孔２６では、充填材１８が硬化し、挿入ボルト１７と硬化した充填材１８とが一体になっている。鉄骨構造物１０Ｂでは、挿入ボルト１７と挿入孔２６において硬化した充填材１８とが既設鉄骨梁１１（Ｈ形鋼１９）と新設鉄骨間柱１２（Ｈ形鋼２７）との接合部に生じるせん断応力に抗するせん断抵抗・伝達手段を形成している。せん断抵抗・伝達手段は、新設鉄骨間柱１２の中央部であって、新設鉄骨間柱１２を形成するＨ形鋼２７のウェブ３０に沿って形成されている。
【００８２】
図８は、図７の鉄骨構造物１０Ｂを構築するための第１穿孔工程、鋼材スリーブ設置工程、充填材第１充填工程、増設部材設置工程、間柱連結工程の一例を示す正面図である。なお、図７の鉄骨構造物１０Ｂを構築するための第２穿孔工程、挿入ボルト挿入工程、充填材第２充填工程は、図１の鉄骨構造物１０Ａを構築するためのそれら工程と同一である（図６参照）。第１穿孔工程では、既設鉄骨梁１１に対する新設鉄骨間柱１２の設置箇所を選定し、図８の（ａ）に示すように、設置箇所に施工されたコンクリートスラブ２４の所定の位置に電動ドリルドライバー（図示せず）のドリルビット４２によって貫通孔２５を穿孔するとともに、既設鉄骨梁１１の上フランジ２０にボルト孔２３を穿孔する。次に、図８の（ｂ）に示すように、ドリルビット４２によって穿孔したコンクリートスラブ２４の貫通孔２５の周囲をコア抜きドリル４３を利用してコア抜きし、コンクリートスラブ２４に断面円形の貫通孔２５を穿孔する。
【００８３】
鋼材スリーブ設置工程では、コア抜きドリル４３によってコンクリートスラブ２４に貫通孔２５を穿孔した後、図８の（ｃ）に示すように、その貫通孔２５に鋼材スリーブ１４を挿入し、貫通孔２５に鋼材スリーブ１４を設置する。鋼材スリーブ１４は、その下端が既設鉄骨梁１１の上フランジ２０に当接し、その上端が連結板１３の下面に当接するように設置する。鋼材スリーブ１４の上端と連結板１３の下面との間に隙間が生じる場合は、既述の方法でその隙間を埋める。充填材第１充填工程では、貫通孔２５に鋼材スリーブ１４を挿入・設置した後、図８の（ｄ）に示すように、貫通孔２５に充填材４７を充填し、その充填材４７によって貫通孔２５と鋼材スリーブ１４の外周面との間隙を埋める。
【００８４】
間柱連結工程では、新設鉄骨間柱１２の設置箇所のコンクリートスラブ２４の上に連結板１３を配置し、図８の（ｅ）に示すように、連結ボルト１５の頭部を下にした状態で、増設部材１６の接続板部３８に穿孔されたボルト孔２３に増設部材１６の下方から上方に向かって連結ボルト１５を挿入しつつ、連結ボルト１５を既設鉄骨梁１１の上フランジ２０のボルト孔２３に挿通するとともに鋼材スリーブ１４（貫通孔２５）に挿通する。なお、充填材４７によって連結ボルト１５と鋼材スリーブ１４の内周面との間隙を埋める。増設部材設置工程において、増設部材１６がその取付板部３７に穿孔されたボルト孔２３と既設鉄骨梁１１を形成するＨ形鋼１９のウェブ２２のボルト孔２３とに挿通または螺着された固定ボルト４０によって既設鉄骨梁１１に固定されている。
【００８５】
連結ボルト１５を鋼材スリーブ１４（貫通孔２５）に挿通した後、図８の（ｆ）に示すように、連結ボルト１５の螺子部３５を連結板１３に穿孔されたボルト孔２３に挿入または螺着し、連結板１３の上方へ露出する連結ボルト１５の螺子部３５にナット３６（固定手段）を螺着する。連結板１３の上方へ露出する連結ボルト１５の螺子部３５にナット３６を螺着することで、連結板１３と増設部材１６とが連結され、既設鉄骨梁１１に新設鉄骨間柱１２が連結される。
【００８６】
連結板１３とコンクリートスラブ２４の表面との間のスペースには充填材３４が充填される。充填材３４は、養生期間が経過すると、スペースにおいて硬化する。なお、既設鉄骨梁１１の上フランジ２０（コンクリートスラブ２４の表面）に対する連結板１３（新設鉄骨間柱１２）の平行状態が充填材３４によって調節されている。
【００８７】
鉄骨構造物施工方法では、連結ボルト１５と鋼材スリーブ１４と充填材４７とから既設鉄骨梁１１と新設鉄骨間柱１２との接合部に生じる曲げ応力（引っ張り応力および圧縮応力）に抗する曲げ抵抗・伝達手段が形成される。曲げ抵抗・伝達手段は、新設鉄骨間柱１２の両側部であって新設鉄骨間柱１２を形成するＨ形鋼２７の一方のフランジ２８の近傍と他方のフランジ２９の近傍とに形成され、新設鉄骨間柱１２の中央部であって、新設鉄骨間柱１２を形成するＨ形鋼２７の一方のフランジ２８の近傍に形成されるとともに、新設鉄骨間柱１２の中央部であって、新設鉄骨間柱１２を形成するＨ形鋼２７の他方のフランジ２９の近傍に形成される。
【００８８】
鉄骨構造物施工方法は、既設鉄骨梁１１であるＨ形鋼１９（第２のＨ形鋼）の上フランジ２０の上に施工されたコンクリートスラブ２４（コンクリート躯体）に貫通孔２５を穿孔し、新設鉄骨間柱１２であるＨ形鋼２７（第１のＨ形鋼）の下端に取り付けられた連結板１３を既設鉄骨梁１１のＨ形鋼１９（第２のＨ形鋼）の上フランジ２０の上に施工されたコンクリートスラブ２４（コンクリート躯体）の上に配置（載置）し、コンクリートスラブ２４の貫通孔２５に設置された鋼材スリーブ１４に挿通された連結ボルト１５によって連結板１３と増設部材１６（既設鉄骨梁１１）とを連結することで、新設鉄骨間柱１２を既設鉄骨梁１１に連結するから、連結ボルト１５を挿通する貫通孔２５をコンクリートスラブ２４に穿孔しつつ、その貫通孔２５に鋼材スリーブ１４を設置するとともに、貫通孔２５に充填材４７を充填し、連結ボルト１５によって連結板１３と増設部材１６（既設鉄骨梁１１）とを連結すればよく、はつり工事を行う必要がなく、はつり音やはつり振動の発生や多量の塵埃の発生を防ぐことができ、静音および清浄な環境を維持した状態で既設建造物の既設鉄骨梁１１に新設鉄骨間柱１２を取り付けた鉄骨構造物１０Ｂを施工することができる。
【００８９】
鉄骨構造物施工方法は、はつり音およびはつり振動の発生や多量の塵埃の発生を防ぐことができるから、平日の昼間の時間に作業を行うことができ、平日の昼間の時間を有効に使って既設建造物の既設鉄骨梁１１（Ｈ形鋼１９）に新設鉄骨間柱１２（Ｈ形鋼２７）を取り付けた鉄骨構造物１０Ｂを短時間に効率よく施工することができる。鉄骨構造物施工方法は、コンクリートをはつる必要がないから、はつり箇所に対する復旧工事を行う手間と時間とを節約することができるとともに、コンクリートスラブ２４の耐力の低下やコンクリートスラブ２４の変形を防ぎつつ既設建造物の既設鉄骨梁１１（Ｈ形鋼１９）に新設鉄骨間柱１２（Ｈ形鋼２７）を取り付けた鉄骨構造物１０Ｂを短時間に効率よく施工することができる。
【００９０】
鉄骨構造物施工方法は、鋼材スリーブ１４（貫通孔２５）に挿通された連結ボルト１５を利用して新設鉄骨間柱１２が既設鉄骨梁１１に連結されているから、溶接作業を必要とせず、溶接の熱による鉄骨部材の耐力の低下や鉄骨部材の変形を防ぐことができ、火災発生の危険がなく、超高層ビルや高層ビル、中層ビル、低層ビル、工場等のあらゆる既設建造物において、既設鉄骨梁１１（Ｈ形鋼１９）に新設鉄骨間柱１２（Ｈ形鋼２７）を取り付けた鉄骨構造物１０Ｂを安全に施工することができる。
【００９１】
鉄骨構造物施工方法は、挿入孔２６に挿入された挿入ボルト１７と挿入孔２６において硬化した充填材１８とが既設鉄骨梁１１（Ｈ形鋼１９）と新設鉄骨間柱１２（Ｈ形鋼２７）との接合部に生じるせん断応力に抗するせん断抵抗・伝達手段を形成するから、既設建造物に地震等の外力が作用し、既設鉄骨梁１１と新設鉄骨間柱１２との接合部にせん断応力が生じた際に、挿入孔２６に挿入した挿入ボルト１７と挿入孔２６において硬化した充填材１８とから形成されたせん断抵抗・伝達手段がそのせん断応力に抵抗するとともに、コンクリートスラブ２４（コンクリート躯体）と新設鉄骨間柱１２との間においてせん断応力を円滑に伝達することが可能な鉄骨構造物１０Ｂを施工することができる。
【００９２】
鉄骨構造物施工方法は、貫通孔２５に挿通された連結ボルト１５と貫通孔２５に設置された鋼材スリーブ１４と貫通孔２５において硬化した充填材４７とが既設鉄骨梁１１（Ｈ形鋼１９）と新設鉄骨間柱１２（Ｈ形鋼２７）との接合部に生じる曲げ応力（引っ張り応力および圧縮応力）に抗する曲げ抵抗・伝達手段を形成するから、既設建造物に地震等の外力が作用し、既設鉄骨梁１１と新設鉄骨間柱１２との接合部に曲げ応力が生じた際に、貫通孔２５に挿通した連結ボルト１５と貫通孔２５に設置した鋼材スリーブ１４と貫通孔２５において硬化した充填材４７とから形成された曲げ抵抗・伝達手段がその曲げ応力に抵抗するとともに、既設鉄骨梁１１やコンクリートスラブ２４（コンクリート躯体）と新設鉄骨間柱１２との間において曲げ応力を円滑に伝達することが可能な鉄骨構造物１０Ｂを施工することができる。
【００９３】
鉄骨構造物施工方法では、新設鉄骨間柱１２のＨ形鋼２７のウェブ３０に沿ってせん断抵抗・伝達手段を形成し、新設鉄骨間柱１２のＨ形鋼２７の一方のフランジ２８の近傍と他方のフランジ２９の近傍とに曲げ抵抗・伝達手段を形成するから、既設建造物に地震等の外力が作用し、既設鉄骨梁１１と新設鉄骨間柱１２との接合部にせん断応力や曲げ応力が生じた際に、新設鉄骨間柱１２である第１のＨ形鋼２７のウェブ３０に沿って形成されたせん断抵抗・伝達手段や新設鉄骨間柱１２である第１のＨ形鋼２７の一方のフランジ２８の近傍と他方のフランジ２９の近傍とに形成された曲げ抵抗・伝達手段がせん断応力や曲げ応力に十分に抵抗するとともに、既設鉄骨梁１１（Ｈ形鋼１９）やコンクリートスラブ２４（コンクリート躯体）と新設鉄骨間柱１２（Ｈ形鋼２７）との間においてせん断応力や曲げ応力を円滑に伝達することが可能な鉄骨構造物１０Ｂを施工することができる。
【００９４】
図９は、鉄骨構造物施工方法によって施工された他の一例として示す鉄骨構造物１０Ｃの正面図である。図９では、垂直方向を矢印Ａで示し、水平方向を矢印Ｂで示す。鉄骨構造物施工方法は、第１穿孔工程、充填材第１充填工程、増設部材設置工程、間柱連結工程、第２穿孔工程、挿入棒挿入工程、充填材第２充填工程によって鉄骨構造物１０Ｃを施工する。なお、それら工程の実施順番について特に取り決めはなく、現場の状況や施工の容易さ等によって各工程の実施順番を任意に決めて各工程を実施する。
【００９５】
図９に示す鉄骨構造物１０Ｃは、既設建造物の既設鉄骨梁１１および新設鉄骨間柱１２と、連結板１３および複数本の連結ボルト１５と、複数の増設部材１６および複数本の挿入棒４６と、充填材１８，４７とから形成されている。連結ボルト１５および挿入棒４６の本数、増設部材１６の数について特に制限はなく、鉄骨構造物１０Ｃの大きさや求められる強度等によってそれらの数を決定する。
【００９６】
鉄骨構造物１０Ｃを形成する既設鉄骨梁１１や新設鉄骨間柱１２には、図１のそれらと同一のＨ形鋼１９，２７（第１のＨ形鋼、第２のＨ形鋼）が使用されている。既設鉄骨梁１１（上フランジ２０）の上には、既設コンクリートスラブ２４（コンクリート躯体）が施工され、コンクリートスラブ２４の所定の箇所には、水平方向へ並ぶ断面円形の貫通孔２５および断面円形の挿入孔２６が穿孔されている。
【００９７】
鉄骨構造物１０Ｃを形成する連結板１３は、図１のそれと同一であり、コンクリートスラブ２４（コンクリート躯体）の上に配置（載置）されている。連結板１３のボルト孔２３の近傍と挿入棒４６の近傍とには、充填材１８，４７を充填する充填材充填口４５が形成されている（図１０，１１参照）。連結板１３とコンクリートスラブ２４との間には、充填材３４が充填されている。鉄骨構造物１０Ｃを形成するそれら連結ボルト１５は、図１のそれと同一であり、貫通孔２５に挿通されて連結板１３から既設鉄骨梁１１を形成するＨ形鋼１９の上フランジ２０に向かって垂直方向へ延びている。連結ボルト１５は、連結板１３から垂直方向上方へ露出する螺子部３５にナット３６（固定手段）が螺着され、連結板１３に連結されている。鉄骨構造物１０Ｃを形成するそれら増設部材１６は、図１のそれと同一であり、既設鉄骨梁１１の上フランジ２０の側（上フランジ２０の直下）に配置されている。増設部材１６は、固定ボルト４０およびナットによって既設鉄骨梁１１のウェブ２２に固定されている。
【００９８】
連結ボルト１５は、増設部材１６の接続板部３８のボルト孔２３に挿通され、貫通孔２５に挿通されているとともに、連結板１３のボルト孔２３に挿通または螺着され、螺子部３５に螺着されたナット３６によって連結板１３に固定されることで、連結板１３と増設部材１６とを連結している。鉄骨構造物１０Ｃを形成する充填材４７は、コンクリートスラブ２４に穿孔された貫通孔２５に充填され、貫通孔２５において硬化している。貫通孔２５では、充填材４７が硬化し、連結ボルト１５と硬化した充填材４７とが一体になっている。
【００９９】
鉄骨構造物１０Ｃでは、貫通孔２５に挿通された連結ボルト１５によって連結板１３と増設部材１６（既設鉄骨梁１１）とが連結されることで、新設鉄骨間柱１２を形成するＨ形鋼２７（第１のＨ形鋼）の下端が既設鉄骨梁１１を形成するＨ形鋼１９（第２のＨ形鋼）の上フランジ２０に連結され、新設鉄骨間柱１２が既設鉄骨梁１１に取り付けられている。
【０１００】
鉄骨構造物１０Ｃでは、連結ボルト１５が引っ張り応力に抵抗し、貫通孔２５において硬化した充填材４７が圧縮応力に抵抗するから、連結ボルト１５と貫通孔２５において硬化した充填材４７とが既設鉄骨梁１１（Ｈ形鋼１９）と新設鉄骨間柱１２（Ｈ形鋼２７）との接合部に生じる曲げ応力（引っ張り応力および圧縮応力）に抗する曲げ抵抗・伝達手段を形成している。曲げ抵抗・伝達手段は、新設鉄骨間柱１２の両側部であって、新設鉄骨間柱１２を形成するＨ形鋼２７の一方のフランジ２８の近傍と他方のフランジ２９の近傍とに形成され、新設鉄骨間柱１２の中央部であって、新設鉄骨間柱１２を形成するＨ形鋼２７の一方のフランジ２８の近傍に形成されるとともに、新設鉄骨間柱１２の中央部であって、新設鉄骨間柱１２を形成するＨ形鋼２７の他方のフランジ２９の近傍に形成される。
【０１０１】
それら挿入棒４６は、鋼材から作られている。挿入棒４６は、連結板１３の中央部３１に溶接によって固定され、連結板１３から既設鉄骨梁１１（上フランジ２０）に向かって垂直方向へ延びている。挿入棒４６（頭部を含む）は、コンクリートスラブ２４（コンクリート躯体）に穿孔された挿入孔２６に挿入されている。挿入孔２６には、充填材１８が充填されている。挿入孔２６では、充填材１８が硬化し、挿入棒４６と硬化した充填材１８とが一体になっている。
【０１０２】
鉄骨構造物１０Ｃでは、挿入棒４６と挿入孔２６において硬化した充填材１８とが既設鉄骨梁１１（Ｈ形鋼１９）と新設鉄骨間柱１２（Ｈ形鋼２７）との接合部に生じるせん断応力に抗するせん断抵抗・伝達手段を形成している。せん断抵抗・伝達手段は、新設鉄骨間柱１２の中央部であって、新設鉄骨間柱１２を形成するＨ形鋼２７のウェブ３０に沿って形成されている。
【０１０３】
図１０は、図９の鉄骨構造物１０Ｃを施工するための第１穿孔工程、充填材第１充填工程、増設部材設置工程、間柱連結工程の一例を示す正面図であり、図１１は、図９の鉄骨構造物１０Ｃを施工するための第２穿孔工程、挿入棒挿入工程、充填材第２充填工程の一例を示す正面図である。鉄骨構造物施工方法は、それら連結ボルト１５によって連結板１３と増設部材１６（既設鉄骨梁１１）とを連結し、新設鉄骨間柱１２であるＨ形鋼２７（第１のＨ形鋼）の下端を既設鉄骨梁１１であるＨ形鋼１９（第２のＨ形鋼）の上フランジ２０に連結して鉄骨構造物１０Ｃを施工するとともに、曲げ抵抗・伝達手段を形成する。さらに、それら挿入棒４６によって連結板１３（新設鉄骨間柱１２）とコンクリートスラブ２４（コンクリート躯体）とを接続し、せん断抵抗・伝達手段を形成する。
【０１０４】
第１穿孔工程では、図１０の（ａ）に示すように、新設鉄骨間柱１２の設置箇所に施工されたコンクリートスラブ２４の所定の位置に電動ドリルドライバーのドリルビット４２によって断面円形の貫通孔２５を穿孔するとともに、既設鉄骨梁１１の上フランジ２０に断面円形のボルト孔２３を穿孔する。第２穿孔工程では、図１１の（ａ）に示すように、新設鉄骨間柱１２の設置箇所に施工されたコンクリートスラブ２４の所定の位置にコア抜きドリル４３を利用して断面円形の挿入孔２６を穿孔する。
【０１０５】
なお、増設部材設置工程は図５のそれと同一であるから、図５の説明を援用し、増設部材設置工程の説明は省略する。挿入棒挿入工程では、図１１の（ｂ）に示すように、連結板１３に固定された挿入棒４６を挿入孔２６に向かって下方へ移動させ、挿入棒４６を挿入孔２６に挿入する。連結板１３は、新設鉄骨間柱１２の設置箇所のコンクリートスラブ２４の上に配置（載置）される。
【０１０６】
間柱連結工程では、ドリルビット４２によってコンクリートスラブ２４に貫通孔２５を穿孔した後、図１０の（ｂ）に示すように、連結ボルト１５の頭部を下にした状態で、増設部材１６の接続板部３８に穿孔されたボルト孔２３に増設部材１６の下方から上方に向かって連結ボルト１５を挿入しつつ、連結ボルト１５を既設鉄骨梁１１の上フランジ２０のボルト孔２３に挿通するとともに貫通孔２５に挿通する。なお、連結ボルト１５を上方から下方に向かって挿入する場合もある。連結ボルト１５を貫通孔２５に挿通した後、図１０の（ｃ）に示すように、連結ボルト１５の螺子部３５を連結板１３に穿孔されたボルト孔２３に挿入または螺着し、連結板１３の上方へ露出する連結ボルト１５の螺子部３５にナット３６（固定手段）を螺着する。連結板１３の上方へ露出する連結ボルト１５の螺子部３５にナット３６を螺着することで、連結板１３と増設部材１６とが連結され、既設鉄骨梁１１に新設鉄骨間柱１２が連結される。
【０１０７】
充填材第１充填工程では、図１０の（ｄ）に示すように、連結板１３の充填材充填口４５から貫通孔２５に充填材４７を充填（注入）し、その充填材４７によって貫通孔２５と連結ボルト１５の外周面との間隙を埋める。貫通孔２５に充填された充填材４７は、養生期間が経過すると、貫通孔２５において硬化する。連結板１３とコンクリートスラブ２４の表面との間のスペースには充填材３４が充填される。なお、既設鉄骨梁１１の上フランジ２０（コンクリートスラブ２４の表面）に対する連結板１３（新設鉄骨間柱１２）の平行状態が充填材３４によって調節されている。貫通孔２５では、図１０の（ｅ）に示すように、連結ボルト１５が貫通孔２５において硬化した充填材４７と一体になっている。鉄骨構造物施工方法では、連結ボルト１５と貫通孔２５において硬化した充填材４７とから既設鉄骨梁１１と新設鉄骨間柱１２との接合部に生じる曲げ応力に抗する曲げ抵抗・伝達手段が形成される。
【０１０８】
充填材第２充填工程では、図１１の（ｃ）に示すように、挿入棒４６を挿入孔２６に挿入した後、充填材充填口４５から挿入孔２６に充填材１８を充填（注入）する。挿入孔２６に充填された充填材１８は、養生期間が経過すると、挿入孔２６において硬化する。挿入孔２６では、図１１の（ｄ）に示すように、挿入棒４６が挿入孔２６において硬化した充填材１８と一体になっている。鉄骨構造物施工方法では、挿入棒４６と挿入孔２６において硬化した充填材１８とから既設鉄骨梁１１と新設鉄骨間柱１２との接合部に生じるせん断応力に抗するせん断抵抗・伝達手段が形成される。
【０１０９】
図９の鉄骨構造物１０Ｃを施工するための鉄骨構造物施工方法の他の一例としては、コンクリートスラブ２４の所定の位置に貫通孔２５と挿入孔２６とを穿孔した後、貫通孔２５および挿入孔２６に充填材１８，４７を充填する（充填材第１充填工程および充填材第２充填工程）。貫通孔２５および挿入孔２６に充填材１８，４７を充填した後、連結板１３に固定された挿入棒４６を挿入孔２６に向かって下方へ移動させ、挿入棒４６を挿入孔２６（充填材１８）に挿入し、連結板１３をコンクリートスラブ２４の上に設置する（挿入棒挿入工程）。次に、増設部材１６の接続板部３８に穿孔されたボルト孔２３に連結ボルト１５を挿入しつつ、連結ボルト１５を既設鉄骨梁１１の上フランジ２０のボルト孔２３に挿通するとともに貫通孔２５（充填材４７）に挿通する。次に、連結ボルト１５の螺子部３５を連結板１３に穿孔されたボルト孔２３に挿入または螺着し、連結板１３の上方へ露出する連結ボルト１５の螺子部３５にナット３６（固定手段）を螺着する（間柱連結工程）。この場合、連結板１７に充填材充填口４５は作られない。
【０１１０】
鉄骨構造物施工方法は、既設鉄骨梁１１であるＨ形鋼１９（第２のＨ形鋼）の上フランジ２０の上に施工されたコンクリートスラブ２４（コンクリート躯体）に貫通孔２５を穿孔し、新設鉄骨間柱１２であるＨ形鋼２７（第１のＨ形鋼）の下端に取り付けられた連結板１３を既設鉄骨梁１１の上フランジ２０の上に施工されたコンクリートスラブ２４（コンクリート躯体）の上に配置（載置）し、コンクリートスラブ２４に穿孔された貫通孔２５に挿通された連結ボルト１５によって連結板１３と増設部材１６（既設鉄骨梁１１）とを連結することで、新設鉄骨間柱１２を既設鉄骨梁１１に連結するから、連結ボルト１５を挿通する貫通孔２５をコンクリートスラブ２４に穿孔しつつ、その貫通孔２５に充填材４７を充填し、連結ボルト１５によって連結板１３と増設部材１６（既設鉄骨梁１１）とを連結すればよく、はつり工事を行う必要がなく、はつり音やはつり振動の発生や多量の塵埃の発生を防ぐことができ、静音および清浄な環境を維持した状態で既設建造物の既設鉄骨梁１１に新設鉄骨間柱１２を取り付けた鉄骨構造物１０Ｃを施工することができる。
【０１１１】
鉄骨構造物施工方法は、はつり音およびはつり振動の発生や多量の塵埃の発生を防ぐことができるから、平日の昼間の時間に作業を行うことができ、平日の昼間の時間を有効に使って既設建造物の既設鉄骨梁１１（Ｈ形鋼１９）に新設鉄骨間柱１２（Ｈ形鋼２７）を取り付けた鉄骨構造物１０Ｃを短時間に効率よく施工することができる。鉄骨構造物施工方法は、コンクリートをはつる必要がないから、はつり箇所に対する復旧工事を行う手間と時間とを節約することができるとともに、コンクリートスラブ２４（コンクリート躯体）の耐力の低下やコンクリートスラブ２４の変形を防ぎつつ既設建造物の既設鉄骨梁１１（Ｈ形鋼１９）に新設鉄骨間柱１２（Ｈ形鋼２７）を取り付けた鉄骨構造物１０Ｃを短時間に効率よく施工することができる。
【０１１２】
鉄骨構造物施工方法は、貫通孔２５に挿通された連結ボルト１５を利用して新設鉄骨間柱１２が既設鉄骨梁１１に連結されているから、溶接作業を必要とせず、溶接の熱による鉄骨部材の耐力の低下や鉄骨部材の変形を防ぐことができ、火災発生の危険がなく、超高層ビルや高層ビル、中層ビル、低層ビル、工場等のあらゆるの既設建造物の既設鉄骨梁１１（Ｈ形鋼１９）に新設鉄骨間柱１２（Ｈ形鋼２７）を取り付けた鉄骨構造物１０Ｃを安全に施工することができる。
【０１１３】
鉄骨構造物施工方法は、挿入孔２６に挿入された挿入棒４６と挿入孔２６において硬化した充填材１８とが既設鉄骨梁１１（Ｈ形鋼１９）と新設鉄骨間柱１２（Ｈ形鋼２７）との接合部に生じるせん断応力に抗するせん断抵抗・伝達手段を形成するから、既設建造物に地震等の外力が作用し、既設鉄骨梁１１と新設鉄骨間柱１２との接合部にせん断応力が生じた際に、挿入孔２６に挿入された挿入棒４６と挿入孔２６において硬化した充填材１８とから形成されたせん断抵抗・伝達手段がそのせん断応力に抵抗するとともに、コンクリートスラブ２４（コンクリート躯体）と新設鉄骨間柱１２との間においてせん断応力を円滑に伝達することが可能な鉄骨構造物１０Ｃを施工することができる。
【０１１４】
鉄骨構造物施工方法は、貫通孔２５に挿通された連結ボルト１５と貫通孔２５において硬化した充填材４７とが既設鉄骨梁１１（Ｈ形鋼１９）と新設鉄骨間柱（Ｈ形鋼２７）との接合部に生じる曲げ応力に抗する曲げ抵抗・伝達手段を形成するから、既設建造物に地震等の外力が作用し、既設鉄骨梁１１と新設鉄骨間柱１２との接合部に曲げ応力が生じた際に、貫通孔２５に挿通された連結ボルト１５と貫通孔２５において硬化した充填材４７とから形成された曲げ抵抗・伝達手段がその曲げ応力に抵抗するとともに、既設鉄骨梁１１やコンクリートスラブ２４（コンクリート躯体）と新設鉄骨間柱１２との間において曲げ応力を円滑に伝達することが可能な鉄骨構造物１０Ｃを施工することができる。
【０１１５】
鉄骨構造物施工方法は、新設鉄骨間柱１２のＨ形鋼２７のウェブ３０に沿ってせん断抵抗・伝達手段を形成し、新設鉄骨間柱１２のＨ形鋼２７の一方のフランジ２８の近傍と他方のフランジ２９の近傍とに曲げ抵抗・伝達手段を形成するから、既設建造物に地震等の外力が作用し、既設鉄骨梁１１と新設鉄骨間柱１２との接合部にせん断応力や曲げ応力が生じた際に、新設鉄骨間柱１２である第１のＨ形鋼２７のウェブ３０に沿って形成されたせん断抵抗・伝達手段や新設鉄骨間柱１２である第１のＨ形鋼２７の一方のフランジ２８の近傍と他方のフランジ２９の近傍とに形成された曲げ抵抗・伝達手段がせん断応力や曲げ応力に十分に抵抗するとともに、既設鉄骨梁１１（Ｈ形鋼１９）やコンクリートスラブ２４（コンクリート躯体）と新設鉄骨間柱１２（Ｈ形鋼２７）との間においてせん断応力や曲げ応力を円滑に伝達することが可能な鉄骨構造物１０Ｃを施工することができる。
【０１１６】
図１２は、鉄骨構造物施工方法によって施工された他の一例として示す鉄骨構造物１０Ｄの正面図である。図１２では、垂直方向を矢印Ａで示し、水平方向を矢印Ｂで示す。鉄骨構造物施工方法は、第１穿孔工程、鋼材スリーブ設置工程、充填材第１充填工程、増設部材設置工程、間柱連結工程、第２穿孔工程、金属柱挿入工程によって鉄骨構造物１０Ｄを施工する。なお、それら工程の実施順番について特に取り決めはなく、現場の状況や施工の容易さ等によって各工程の実施順番を任意に決めて各工程を実施する。
【０１１７】
図１２に示す鉄骨構造物１０Ｄは、既設建造物の既設鉄骨梁１１および新設鉄骨間柱１２と、連結板１３および複数個の鋼材スリーブ１４（管材）と、複数本の連結ボルト１５および複数の増設部材１６と、充填材４７および複数本の金属柱４８とから形成されている。鋼材スリーブ１４の個数、連結ボルト１５および金属柱４８の本数、増設部材１６の数について特に制限はなく、鉄骨構造物１０Ｄの大きさや求められる強度等によってそれらの数を決定する。
【０１１８】
鉄骨構造物１０Ｄを形成する既設鉄骨梁１１や新設鉄骨間柱１２には、図１のそれらと同一のＨ形鋼１９，２７（第１のＨ形鋼、第２のＨ形鋼）が使用されている。既設鉄骨梁１１（上フランジ２０）の上には、既設コンクリートスラブ２４（コンクリート躯体）が施工され、コンクリートスラブ２４の所定の箇所には、水平方向へ並ぶ断面円形の貫通孔２５および断面円形の挿入孔２６が穿孔されている。
【０１１９】
鉄骨構造物１０Ｄを形成する連結板１３は、図１のそれと同一であるが、連結板１３の中央部３１にはボルト孔２３ではなく挿通孔４９が穿孔されている。連結板１３は、コンクリートスラブ２４（コンクリート躯体）の上に配置（載置）されている。連結板１３とコンクリートスラブ２４との間には、充填材３４が充填されている。鉄骨構造物１０Ｄを形成するそれら鋼材スリーブ１４は、図１のそれと同一であり、コンクリートスラブ２４に穿孔された貫通孔２５に挿入・設置されている。
【０１２０】
鉄骨構造物１０Ｄを形成するそれら連結ボルト１５は、図１のそれと同一であり、鋼材スリーブ１４（貫通孔２５）に挿通されて連結板１３から既設鉄骨梁１１を形成するＨ形鋼１９の上フランジ２０に向かって垂直方向へ延びている。連結ボルト１５は、連結板１３から垂直方向上方へ露出する螺子部３５にナット３６（固定手段）が螺着され、連結板１３に連結されている。鉄骨構造物１０Ｄを形成するそれら増設部材１６は、図１のそれと同一であり、既設鉄骨梁１１の上フランジ２０の側（上フランジ２０の直下）に配置されている。増設部材１６は、固定ボルト４０およびナットによって既設鉄骨梁１１のウェブ２２に固定されている。
【０１２１】
連結ボルト１５は、増設部材１６の接続板部３８のボルト孔２３に挿通され、鋼材スリーブ１４（貫通孔２５）に挿通されているとともに、連結板１３のボルト孔２３に挿通または螺着され、螺子部３５に螺着されたナット３６によって連結板１３に固定されることで、連結板１３と増設部材１６とを連結している。鉄骨構造物１０Ｄを形成する充填材４７は、コンクリートスラブ２４に穿孔された貫通孔２５に充填され、貫通孔２５において硬化している。
【０１２２】
鉄骨構造物１０Ｄでは、貫通孔２５と鋼材スリーブ１４の外周面との間隙が充填材４７によって埋められているとともに、連結ボルト１５と鋼材スリーブ１４の内周面との間隙が充填材４７によって埋められている。貫通孔２５では、充填材４７が硬化し、連結ボルト１５と鋼材スリーブ１４と硬化した充填材４７とが一体になっている。
【０１２３】
鉄骨構造物１０Ｄでは、鋼材スリーブ１４（貫通孔２５）に挿通された連結ボルト１５によって連結板１３と増設部材１６（既設鉄骨梁１１）とが連結されることで、新設鉄骨間柱１２を形成するＨ形鋼２７（第１のＨ形鋼）の下端が既設鉄骨梁１１を形成するＨ形鋼１９（第２のＨ形鋼）の上フランジ２０に連結され、新設鉄骨間柱１２が既設鉄骨梁１１に取り付けられている。
【０１２４】
鉄骨構造物１０Ｄでは、連結ボルト１５が引っ張り応力に抵抗し、鋼材スリーブ１４と充填材４７とが圧縮応力に抵抗するから、連結ボルト１５と鋼材スリーブ１４と充填材４７とが既設鉄骨梁１１（Ｈ形鋼１９）と新設鉄骨間柱１２（Ｈ形鋼２７）との接合部に生じる曲げ応力（引っ張り応力および圧縮応力）に抗する曲げ抵抗・伝達手段を形成している。曲げ抵抗・伝達手段は、新設鉄骨間柱１２の両側部であって、新設鉄骨間柱１２を形成するＨ形鋼２７の一方のフランジ２８の近傍と他方のフランジ２９の近傍とに形成され、新設鉄骨間柱１２の中央部であって、新設鉄骨間柱１２を形成するＨ形鋼２７の一方のフランジ２８の近傍に形成されるとともに、新設鉄骨間柱１２の中央部であって、新設鉄骨間柱１２を形成するＨ形鋼２７の他方のフランジ２９の近傍に形成される。
【０１２５】
それら金属柱４８は、鋼材から作られて円柱状に成形されている。金属柱４８は、連結板１３から既設鉄骨梁１１（上フランジ２０）に向かって垂直方向へ延びている。金属柱４８は、連結板１３の中央部３１に穿孔された挿通孔４９に挿入されているとともに、コンクリートスラブ２４（コンクリート躯体）に穿孔された挿入孔２６に挿入されている。なお、金属柱４８の形状（直径や長さを含む）は、必要な耐力等を勘案して決定する。図１２では、金属柱４８がコンクリートスラブ２４を貫通して既設鉄骨梁１１（上フランジ２０）に達しているが、コンクリートスラブ２４の途中までに延びていてもよい。
【０１２６】
鉄骨構造物１０Ｄでは、金属柱４８が既設鉄骨梁１１（Ｈ形鋼１９）と新設鉄骨間柱１２（Ｈ形鋼２７）との接合部に生じるせん断応力に抗するせん断抵・伝達抗手段を形成している。せん断抵・伝達抗手段は、新設鉄骨間柱１２の中央部であって、新設鉄骨間柱１２を形成するＨ形鋼２７のウェブ３０に沿って形成されている。なお、図１２の鉄骨構造物１０Ｄを施工するための第１穿孔工程、鋼材スリーブ設置工程、充填材第１充填工程、増設部材設置工程、間柱連結工程は、図７の鉄骨構造物１０Ｂを構築するためのそれら工程と同一である（図８参照）。
【０１２７】
図１３は、図１２の鉄骨構造物１０Ｄを施工するための第２穿孔工程、金属柱挿入工程の一例を示す正面図である。第２穿孔工程では、図１３の（ａ）に示すように、新設鉄骨間柱１２の設置箇所に施工されたコンクリートスラブ２４の所定の位置にコア抜きドリル４３を利用して挿入孔２６を穿孔する。金属柱挿入工程では、図１３の（ｂ）に示すように、金属柱４８を挿入孔２６に挿入する。金属柱４８を挿入孔２６に挿入した後、図１３の（ｃ）に示すように、連結板１３をコンクリートスラブ２４の上に配置（載置）し、図１３の（ｄ）に示すように、連結板１３に穿孔された挿通孔４９に金属柱４８の頂部５０を挿入する。鉄骨構造物施工方法では、金属柱４８によって既設鉄骨梁１１と新設鉄骨間柱１２との接合部に生じるせん断応力に抗するせん断抵抗・伝達手段が形成される。
【０１２８】
鉄骨構造物施工方法は、既設鉄骨梁１１であるＨ形鋼１９（第２のＨ形鋼）の上フランジ２０の上に施工されたコンクリートスラブ２４（コンクリート躯体）に貫通孔２５を穿孔し、新設鉄骨間柱１２であるＨ形鋼２７（第１のＨ形鋼）の下端に取り付けられた連結板１３を既設鉄骨梁１１の上フランジ２０の上に施工されたコンクリートスラブ２４（コンクリート躯体）の上に配置（載置）し、コンクリートスラブ２４の貫通孔２５に設置された鋼材スリーブ１４に挿通された連結ボルト１５によって連結板１３と増設部材１６（既設鉄骨梁１１）とを連結することで、新設鉄骨間柱１２を既設鉄骨梁１１に連結するから、連結ボルト１５を挿通する貫通孔２５をコンクリートスラブ２４に穿孔しつつ、その貫通孔２５に鋼材スリーブ１４を設置するとともに、貫通孔２５に充填材４７を充填し、連結ボルト１５によって連結板１３と増設部材１６（既設鉄骨梁１１）とを連結すればよく、はつり工事を行う必要がなく、はつり音やはつり振動の発生や多量の塵埃の発生を防ぐことができ、静音および清浄な環境を維持した状態で既設建造物の既設鉄骨梁１１に新設鉄骨間柱１２を取り付けた鉄骨構造物１０Ｄを施工することができる。
【０１２９】
鉄骨構造物施工方法は、はつり音およびはつり振動の発生や多量の塵埃の発生を防ぐことができるから、平日の昼間の時間に作業を行うことができ、平日の昼間の時間を有効に使って既設建造物の既設鉄骨梁１１（Ｈ形鋼１９）に新設鉄骨間柱１２（Ｈ形鋼２７）を取り付けた鉄骨構造物１０Ｄを短時間に効率よく施工することができる。鉄骨構造物施工方法は、コンクリートをはつる必要がないから、はつり箇所に対する復旧工事を行う手間と時間とを節約することができるとともに、コンクリートスラブ２４の耐力の低下やコンクリートスラブ２４の変形を防ぎつつ既設建造物の既設鉄骨梁１１（Ｈ形鋼１９）に新設鉄骨間柱１２（Ｈ形鋼２７）を取り付けた鉄骨構造物１０Ｄを短時間に効率よく施工することができる。
【０１３０】
鉄骨構造物施工方法は、鋼材スリーブ１４（貫通孔２５）に挿通された連結ボルト１５を利用して新設鉄骨間柱１２が既設鉄骨梁１１に連結されているから、溶接作業を必要とせず、溶接の熱による鉄骨部材の耐力の低下や鉄骨部材の変形を防ぐことができ、火災発生の危険がなく、超高層ビルや高層ビル、中層ビル、低層ビル、工場等のあらゆる既設建造物の既設鉄骨梁１１（Ｈ形鋼１９）に新設鉄骨間柱１２（Ｈ形鋼２７）を取り付けた鉄骨構造物１０Ｄを安全に施工することができる。
【０１３１】
鉄骨構造物施工方法は、挿通孔４９および挿入孔２６に挿入された金属柱４８が既設鉄骨梁１１（Ｈ形鋼１９）と新設鉄骨間柱１２（Ｈ形鋼２７）との接合部に生じるせん断応力に抗するせん断抵抗・伝達手段を形成するから、既設建造物に地震等の外力が作用し、既設鉄骨梁１１と新設鉄骨間柱１２との接合部にせん断応力が生じた際に、挿通孔４９および挿入孔２６に挿入された金属柱４８によって形成されたせん断抵抗・伝達手段がそのせん断応力に抵抗するとともに、コンクリートスラブ２４（コンクリート躯体）と新設鉄骨間柱１２との間においてせん断応力を円滑に伝達することが可能な鉄骨構造物１０Ｄを施工することができる。
【０１３２】
鉄骨構造物施工方法は、貫通孔２５に挿通された連結ボルト１５と貫通孔２５に設置された鋼材スリーブ１４と貫通孔２５において硬化した充填材４７とが既設鉄骨梁１１（Ｈ形鋼１９）と新設鉄骨間柱１２（Ｈ形鋼２７）との接合部に生じる曲げ応力（引っ張り応力および圧縮応力）に抗する曲げ抵抗・伝達手段を形成するから、既設建造物に地震等の外力が作用し、既設鉄骨梁１１と新設鉄骨間柱１２との接合部に曲げ応力が生じた際に、貫通孔２５に挿通された連結ボルト１５と貫通孔２５に設置された鋼材スリーブ１４と貫通孔２５において硬化した充填材４７とから形成された曲げ抵抗・伝達手段がその曲げ応力に抵抗するとともに、既設鉄骨梁１１やコンクリートスラブ２４（コンクリート躯体）と新設鉄骨間柱１２との間において曲げ応力を円滑に伝達することが可能な鉄骨構造物１０Ｄを施工することができる。
【０１３３】
鉄骨構造物施工方法は、新設鉄骨間柱１２のＨ形鋼２７のウェブ３０に沿ってせん断抵抗・伝達手段を形成し、新設鉄骨間柱１２のＨ形鋼２７の一方のフランジ２８の近傍と他方のフランジ２９の近傍とに曲げ抵抗・伝達手段を形成するから、既設建造物に地震等の外力が作用し、既設鉄骨梁１１と新設鉄骨間柱１２との接合部にせん断応力や曲げ応力が生じた際に、新設鉄骨間柱１２である第１のＨ形鋼２７のウェブ３０に沿って形成されたせん断抵抗・伝達手段や新設鉄骨間柱１２である第１のＨ形鋼２７の一方のフランジ２８の近傍と他方のフランジ２９の近傍とに形成された曲げ抵抗・伝達手段がせん断応力や曲げ応力に十分に抵抗するとともに、既設鉄骨梁１１（Ｈ形鋼１９）やコンクリートスラブ２４（コンクリート躯体）と新設鉄骨間柱１２（Ｈ形鋼２７）との間においてせん断応力や曲げ応力を円滑に伝達することが可能な鉄骨構造物１０Ｄを施工することができる。
【０１３４】
図１４は、鉄骨構造物施工方法によって施工された他の一例として示す鉄骨構造物１０Ｅの正面図である。図１４では、垂直方向を矢印Ａで示し、水平方向を矢印Ｂで示す。鉄骨構造物施工方法は、第１穿孔工程、鋼材スリーブ設置工程、充填材第１充填工程、増設部材設置工程、間柱連結工程、第２穿孔工程、金属柱挿入工程、充填材第２充填工程によって鉄骨構造物１０Ｅを施工する。なお、それら工程の実施順番について特に取り決めはなく、現場の状況や施工の容易さ等によって各工程の実施順番を任意に決めて各工程を実施する。
【０１３５】
図１４に示す鉄骨構造物１０Ｅが図１２に示す鉄骨構造物１０Ｄと異なるところは、連結板１３に穿孔された挿通孔４９およびコンクリートスラブ２４に穿孔された挿入孔２６と挿通孔４９および挿入孔２６に挿入された金属柱４８の外周面との間の間隙に充填材１８が充填されている点にあり、その他の構成は図１２の鉄骨構造物１０Ｄのそれらと同一であるから、鉄骨構造物１０Ｄと同一の符号を付すとともに、鉄骨構造物１０Ｄの説明を援用することで、この鉄骨構造物１０Ｅの構成の詳細な説明は省略する。
【０１３６】
鉄骨構造物１０Ｅは、既設建造物の既設鉄骨梁１１および新設鉄骨間柱１２と、連結板１３および複数個の鋼材スリーブ１４（管材）と、複数本の連結ボルト１５および複数の増設部材１６と、複数本の金属柱４８および充填材１８，４７とから形成されている。金属柱４８は、連結板１３の中央部３１に穿孔された挿通孔４９に挿入されているとともに、コンクリートスラブ２４（コンクリート躯体）に穿孔された挿入孔２６に挿入されている。挿入孔２６に充填された充填材１８によって挿入孔２６と金属柱４８の外周面との間隙が埋められている。金属柱４８の頂部５０の外周面と連結板１３の挿通孔４９との間に生じた間隙に充填材１８が充填され、充填材１８によって間隙が埋められている。
【０１３７】
鉄骨構造物１０Ｅでは、金属柱４８が挿通孔４９および挿入孔２６において硬化した充填材１８と一体になり、金属柱４８と挿通孔４９および挿入孔２６において硬化した充填材１８とが既設鉄骨梁１１（Ｈ形鋼１９）と新設鉄骨間柱１２（Ｈ形鋼２７）との接合部に生じるせん断応力に抗するせん断抵抗・伝達手段を形成している。せん断抵抗・伝達手段は、新設鉄骨間柱１２の中央部であって、新設鉄骨間柱１２を形成するＨ形鋼２７のウェブ３０に沿って形成されている。なお、図１４の鉄骨構造物１０Ｅを施工するための第１穿孔工程、鋼材スリーブ設置工程、充填材第１充填工程、増設部材設置工程、間柱連結工程は、図７の鉄骨構造物１０Ｂを施工するためのそれら工程と同一である（図８参照）。
【０１３８】
図１５は、図１４の鉄骨構造物１０Ｅを施工するための第２穿孔工程、金属柱挿入工程、充填材第２充填工程の一例を示す正面図である。第２穿孔工程では、図１５の（ａ）に示すように、新設鉄骨間柱１２の設置箇所に施工されたコンクリートスラブ２４の所定の位置にコア抜きドリル４３を利用して挿入孔２６を穿孔する。金属柱挿入工程では、図１５の（ｂ）に示すように、金属柱４８を挿入孔２６に挿入する。充填材第２充填工程では、金属柱４８を挿入孔２６に挿入した後、図１５の（ｃ）に示すように、挿入孔２６と金属柱４８の外周面との間の間隙に充填材１８を充填し、充填材１８によって挿入孔２６と金属柱４８の外周面との間隙を埋める。なお、挿入孔２６に充填材１８を充填した後に金属柱４８を挿入孔２６に挿入してもよい。
【０１３９】
充填材１８を充填した後、図１５の（ｄ）に示すように、連結板１３をコンクリートスラブ２４の上に配置（載置）し、図１５の（ｅ）に示すように、連結板１３に穿孔された挿通孔４９に金属柱４８の頂部５０を挿入する。金属柱４８の頂部５０の外周面と連結板１３の挿通孔４９との間に生じた間隙に充填材１８を充填し、充填材１８によって間隙を埋める。鉄骨構造物施工方法では、金属柱４８と挿通孔４９および挿入孔２６において硬化した充填材１８とから既設鉄骨梁１１と新設鉄骨間柱１２との接合部に生じるせん断応力に抗するせん断抵抗・伝達手段が形成される。
【０１４０】
鉄骨構造物１０Ｅを施工する鉄骨構造物施工方法は、鉄骨構造物１０Ｄを施工する鉄骨構造物施工方法が有する効果に加え、以下の効果を有する。鉄骨構造物施工方法は、金属柱４８と挿通孔４９および挿入孔２６において硬化した充填材１８とが既設鉄骨梁１１と新設鉄骨間柱１２との接合部に生じるせん断応力に抗するせん断抵抗・伝達手段を形成するから、既設建造物に地震等の外力が作用し、既設鉄骨梁１１と新設鉄骨間柱１２との接合部にせん断応力が生じた際に、挿通孔４９および挿入孔２６に挿入された金属柱４８と挿通孔４９および挿入孔２６において硬化した充填材１８とから形成されたせん断抵抗・伝達手段がそのせん断応力に抵抗するとともに、コンクリートスラブ２４（コンクリート躯体）と新設鉄骨間柱１２との間においてせん断応力を円滑に伝達することが可能な鉄骨構造物１０Ｅを施工することができる。
【０１４１】
図１６は、鉄骨構造物施工方法によって施工された他の一例として示す鉄骨構造物１０Ｆの正面図である。図１６では、垂直方向を矢印Ａで示し、水平方向を矢印Ｂで示す。鉄骨構造物施工方法は、第１穿孔工程、鋼材スリーブ設置工程、充填材第１充填工程、増設部材設置工程、間柱連結工程、第２穿孔工程、金属柱挿入工程、充填材第２充填工程、押さえ板固定工程によって鉄骨構造物１０Ｆを施工する。なお、それら工程の実施順番について特に取り決めはなく、現場の状況や施工の容易さ等によって各工程の実施順番を任意に決めて各工程を実施する。
【０１４２】
図１６に示す鉄骨構造物１０Ｆが図１２に示す鉄骨構造物１０Ｄと異なるところは、連結板１３に穿孔された挿通孔４９およびコンクリートスラブ２４に穿孔された挿入孔２６と挿通孔４９および挿入孔２６に挿入された金属柱４８の外周面との間の間隙に充填材１８が充填されている点、金属柱４８の頂部５０を押さえる押さえ板５１を有する点にあり、その他の構成は図１２の鉄骨構造物１０Ｄのそれらと同一であるから、鉄骨構造物１０Ｄと同一の符号を付すとともに、鉄骨構造物１０Ｄの説明を援用することで、この鉄骨構造物１０Ｆの構成の詳細な説明は省略する。
【０１４３】
鉄骨構造物１０Ｆは、既設建造物の既設鉄骨梁１１および新設鉄骨間柱１２と、連結板１３および複数個の鋼材スリーブ１４（管材）と、複数本の連結ボルト１５および複数の増設部材１６と、充填材１８，４７および複数本の金属柱４８と、押さえ板５１とから形成されている。金属柱４８は、連結板１３の中央部３１に穿孔された挿通孔４９に挿入されているとともに、コンクリートスラブ２４（コンクリート躯体）に穿孔された挿入孔２６に挿入されている。挿入孔２６と金属柱４８の外周面との間の間隙に充填材１８が充填され、挿入孔２６において硬化した充填材１８によって挿入孔２６と金属柱４８の外周面との間隙が埋められている。金属柱４８の頂部５０の外周面と連結板１３の挿通孔４９との間に生じた間隙に充填材１８が充填され、充填材１８によって間隙が埋められている。
【０１４４】
押さえ板５１は、鋼材から作られて板状に成形されている。押さえ板５１は、連結板１３の挿通孔４９およびコンクリートスラブ２４の挿入孔２６に挿入された金属柱４８の頂部５０を含むその近傍に配置され、金属柱４８の頂部５０の直上に載置されている。押さえ板５１は、それに穿孔されたボルト孔２３と連結板１３に穿孔されたボルト孔２３とに固定ボルト４０が螺着されることで、連結板１３の上面に固定されている。押さえ板５１は、連結板１３に固定されることで、金属柱４８の頂部５０を押さえ、金属柱４８の挿通孔４９および挿入孔２６からの抜脱を防いでいる。
【０１４５】
鉄骨構造物１０Ｆでは、金属柱４８が挿通孔４９および挿入孔２６において硬化した充填材１８と一体になり、金属柱４８と挿通孔４９および挿入孔２６において硬化した充填材１８と金属柱４８の頂部５０を押さえる押さえ板５１とが既設鉄骨梁１１（Ｈ形鋼１９）と新設鉄骨間柱１２（Ｈ形鋼２７）との接合部に生じるせん断応力に抗するせん断抵抗・伝達手段を形成している。せん断抵抗・伝達手段は、新設鉄骨間柱１２の中央部であって、新設鉄骨間柱１２を形成するＨ形鋼２７のウェブ３０に沿って形成されている。なお、図１６の鉄骨構造物１０Ｆを構築するための第１穿孔工程、鋼材スリーブ設置工程、充填材第１充填工程、増設部材設置工程、間柱連結工程は、図７の鉄骨構造物１０Ｂを構築するためのそれら工程と同一である（図８参照）。
【０１４６】
図１７は、図１６の鉄骨構造物１０Ｆを構築するための第２穿孔工程、金属柱挿入工程、充填材第２充填工程、押さえ板固定工程の一例を示す正面図である。第２穿孔工程では、図１７の（ａ）に示すように、新設鉄骨間柱１２の設置箇所に施工されたコンクリートスラブ２４の所定の位置にコア抜きドリル４３を利用して挿入孔２６を穿孔する。金属柱挿入工程では、図１７の（ｂ）に示すように、金属柱４８を挿入孔２６に挿入する。充填材第２充填工程では、金属柱４８を挿入孔２６に挿入した後、図１７の（ｃ）に示すように、挿入孔２６と金属柱４８の外周面との間の間隙に充填材１８を充填し、充填材１８によって挿入孔２６と金属柱４８の外周面との間隙を埋める。
【０１４７】
充填材１８を充填した後、図１７の（ｄ）に示すように、連結板１３をコンクリートスラブ２４の上に配置（載置）し、連結板１３に穿孔された挿通孔４９に金属柱４８の頂部５０を挿入する。金属柱４８の頂部５０の外周面と連結板１３の挿通孔４９との間に生じた間隙に充填材１８を充填し、充填材１８によって間隙を埋める。押さえ板固定工程では、図１７の（ｅ）に示すように、押さえ板５１を金属柱４８の頂部５０の直上に載置する。押さえ板５１は、連結板１３の挿通孔４９およびコンクリートスラブ２４の挿入孔２６に挿入された金属柱４８の頂部５０を含むその近傍に配置される。押さえ板５１を金属柱４８の頂部５０の直上に載置した後、図１７の（ｆ）に示すように、押さえ板５１に穿孔されたボルト孔２３と連結板１３に穿孔されたボルト孔２３とに固定ボルト４０を螺着し、押さえ板５１を連結板１３の上面に固定する。鉄骨構造物施工方法では、金属柱４８と挿通孔４９および挿入孔２６において硬化した充填材１８と押さえ板５１とから既設鉄骨梁１１と新設鉄骨間柱１２との接合部に生じるせん断応力に抗するせん断抵抗・伝達手段が形成される。
【０１４８】
鉄骨構造物１０Ｆを施工する鉄骨構造物施工方法は、鉄骨構造物１０Ｄを施工する鉄骨構造物施工方法が有する効果に加え、以下の効果を有する。鉄骨構造物施工方法は、金属柱４８と挿通孔４９および挿入孔２６において硬化した充填材１８と金属柱４８の頂部５０を押さえる押さえ板５１とが既設鉄骨梁１１と新設鉄骨間柱１２との接合部に生じるせん断応力に抗するせん断抵抗・伝達手段を形成するから、既設建造物に地震等の外力が作用し、既設鉄骨梁１１と新設鉄骨間柱１２との接合部にせん断応力が生じた際に、挿通孔４９および挿入孔に挿入２６された金属柱４８と挿通孔４９および挿入孔２６において硬化した充填材１８と金属柱４８の頂部５０を押さえる押さえ板５１とから形成されたせん断抵抗・伝達手段がそのせん断応力に抵抗するとともに、コンクリートスラブ２４（コンクリート躯体）と新設鉄骨間柱１２との間においてせん断応力を円滑に伝達することが可能な鉄骨構造物１０Ｆを施工することができる。
【０１４９】
図１８は、鉄骨構造物施工方法によって施工された他の一例として示す鉄骨構造物１０Ｇの正面図であり、図１９は、一例として示すコネクト部材４８の斜視図である。図１８では、垂直方向を矢印Ａで示し、水平方向を矢印Ｂで示す。鉄骨構造物施工方法は、第１穿孔工程、鋼材スリーブ設置工程、充填材第１充填工程、増設部材設置工程、間柱連結工程、第２穿孔工程、充填材第２充填工程、コネクト部材設置工程によって鉄骨構造物１０Ｇを施工する。なお、それら工程の実施順番について特に取り決めはなく、現場の状況や施工の容易さ等によって各工程の実施順番を任意に決めて各工程を実施する。
【０１５０】
図１８に示す鉄骨構造物１０Ｇは、既設建造物の既設鉄骨梁１１および新設鉄骨間柱１２と、連結板１３および複数個の鋼材スリーブ１４（管材）と、複数本の連結ボルト１５および複数の増設部材１６と、充填材１８，４７および複数のコネクト部材５２とから形成されている。鋼材スリーブ１４の個数、連結ボルト１５の本数、増設部材１６およびコネクト部材５２の数について特に制限はなく、鉄骨構造物１０Ｇの大きさや求められる強度等によってそれらの数を決定する。
【０１５１】
鉄骨構造物１０Ｇを形成する既設鉄骨梁１１や新設鉄骨間柱１２には、図１のそれらと同一のＨ形鋼１９，２７（第１のＨ形鋼、第２のＨ形鋼）が使用されている。既設鉄骨梁１１（上フランジ２０）の上には、既設コンクリートスラブ２４（コンクリート躯体）が施工され、コンクリートスラブ２４の所定の箇所には、水平方向へ並ぶ断面円形の貫通孔２５および断面円形の挿入孔２６が穿孔されている。鉄骨構造物１０Ｇを形成する連結板１３は、図１のそれと同一であり、コンクリートスラブ２４（コンクリート躯体）の上に配置（載置）されている。連結板１３とコンクリートスラブ２４との間には、充填材３４が充填されている。
【０１５２】
鉄骨構造物１０Ｇを形成する鋼材スリーブ１４は、図１のそれと同一であり、コンクリートスラブ２４に穿孔された貫通孔２５に設置されて垂直方向へ延びている。鉄骨構造物１０Ｇを形成するそれら連結ボルト１５は、図１のそれと同一であり、鋼材スリーブ１４（貫通孔２５）に挿通されて連結板１３から既設鉄骨梁１１を形成するＨ形鋼１９の上フランジ２０に向かって垂直方向へ延びている。連結ボルト１５は、連結板１３から垂直方向上方へ露出する螺子部３５にナット３６（固定手段）が螺着され、連結板１３に連結されている。
【０１５３】
鉄骨構造物１０Ｇを形成する増設部材１６は、図１のそれと同一であり、既設鉄骨梁１１の上フランジ２０の側（上フランジ２０の直下）に配置されている。増設部材１６は、固定ボルト４０およびナットによって既設鉄骨梁１１のウェブ２２に固定されている。連結ボルト１５は、増設部材１６の接続板部３８のボルト孔２３に挿通され、鋼材スリーブ１４（貫通孔２５）に挿通されているとともに、連結板１３のボルト孔２３に挿通または螺着され、螺子部３５に螺着されたナット３６によって連結板１３に固定されることで、連結板１３と増設部材１６とを連結している。鉄骨構造物１０Ｇを形成する充填材４７は、コンクリートスラブ２４に穿孔された貫通孔２５に充填され、貫通孔２５において硬化している。
【０１５４】
鉄骨構造物１０Ｇでは、貫通孔２５と鋼材スリーブ１４の外周面との間隙が充填材４７によって埋められているとともに、連結ボルト１５と鋼材スリーブ１４の内周面との間隙が充填材４７によって埋められている。貫通孔２５では、充填材４７が硬化し、連結ボルト１５と鋼材スリーブ１４と硬化した充填材４７とが一体になっている。鉄骨構造物１０Ｇでは、鋼材スリーブ１４（貫通孔２５）に挿通された連結ボルト１５によって連結板１３と増設部材１６（既設鉄骨梁１１）とが連結されることで、新設鉄骨間柱１２を形成するＨ形鋼２７（第１のＨ形鋼）の下端が既設鉄骨梁１１を形成するＨ形鋼１９（第２のＨ形鋼）の上フランジ２０に連結され、新設鉄骨間柱１２が既設鉄骨梁１１に取り付けられている。
【０１５５】
鉄骨構造物１０Ｇでは、連結ボルト１５が引っ張り応力に抵抗し、鋼材スリーブ１４と充填材４７とが圧縮応力に抵抗するから、連結ボルト１５と鋼材スリーブ１４と充填材４７とが既設鉄骨梁１１（Ｈ形鋼１９）と新設鉄骨間柱１２（Ｈ形鋼２７）との接合部に生じる曲げ応力（引っ張り応力および圧縮応力）に抗する曲げ抵抗・伝達手段を形成している。曲げ抵抗・伝達手段は、新設鉄骨間柱１２の両側部であって、新設鉄骨間柱１２を形成するＨ形鋼２７の一方のフランジ２８の近傍と他方のフランジ２９の近傍とに形成され、新設鉄骨間柱１２の中央部であって、新設鉄骨間柱１２を形成するＨ形鋼２７の一方のフランジ２８の近傍に形成されるとともに、新設鉄骨間柱１２の中央部であって、新設鉄骨間柱１２を形成するＨ形鋼２７の他方のフランジ２９の近傍に形成される。
【０１５６】
それらコネクト部材５２は、鋼材から作られている。コネクト部材５２は、脚部５３と板状ベース５４と接続ボルト５５とから形成されている。脚部５３は、垂直方向へ延びていてコンクリートスラブ２４の上面からその内部（挿入孔２６）に埋め込まれる（食い込む）。板状ベース５４は、円盤状に成形され、脚部５３につながって水平方向へ延びている。板状ベース５４の中央部には、接続ボルト５５の螺子部５６を螺着するボルト孔２３が形成されている。脚部５３と板状ベース５４とは、一体に作られている。接続ボルト５５は、その頭部が板状ベース５４の下方に位置した状態で、その螺子部５６が板状ベース５４のボルト孔２３に螺着されている。接続ボルト５５の螺子部５６のうちの板状ベース５４から上方へ露出する部分にナット３６が螺着されることで、接続ボルト５５が板状ベース５４に取り付けられている。
【０１５７】
鉄骨構造物１０Ｇでは、コネクト部材５２（脚部５３）が挿入孔２６において硬化した充填材１８と一体になり、コネクト部材５２と挿入孔２６において硬化した充填材１８が既設鉄骨梁１１（Ｈ形鋼１９）と新設鉄骨間柱１２（Ｈ形鋼２７）との接合部に生じるせん断応力に抗するせん断抵抗・伝達手段を形成している。せん断抵抗・伝達手段は、新設鉄骨間柱１２の中央部であって、新設鉄骨間柱１２を形成するＨ形鋼２７のウェブ３０に沿って形成されている。
【０１５８】
図２０は、図１８の鉄骨構造物１０Ｇを施工するための第２穿孔工程、充填材第２充填工程、コネクト部材設置工程の一例を示す正面図である。なお、図１８の鉄骨構造物１０Ｇを施工するための第１穿孔工程、鋼材スリーブ設置工程、充填材第１充填工程、増設部材設置工程、間柱連結工程は、図７の鉄骨構造物１０Ｂを施工するためのそれら工程と同一である（図８参照）。
【０１５９】
第２穿孔工程では、図２０の（ａ）に示すように、新設鉄骨間柱１２の設置箇所に施工されたコンクリートスラブ２４の所定の位置にコア抜きドリル４３を利用して挿入孔２６を穿孔する。充填材第２充填工程では、図２０の（ｂ）に示すように、その挿入孔２６に充填材１８を充填する。コネクト部材設置工程では、図２０の（ｃ）に示すように、コネクト部材５２を挿入孔２６（充填材１８）に進入させ、図２０の（ｄ）に示すように、コネクト部材５２の脚部５３と板状ベース５４と接続ボルト５５の頭部とを挿入孔２６に挿入・設置する。
【０１６０】
コネクト部材設置工程において、コネクト部材５２の脚部５３と板状ベース５４と接続ボルト５５の頭部とを挿入孔２６に挿入すると、脚部５３が挿入孔２６の周縁部に埋め込まれる。挿入孔２６において硬化した充填材１８によって挿入孔２６とコネクト部材５２の脚部５３との間隙が埋められている。なお、挿入孔２６に充填材１８が充填されていなくてもよく、挿入孔２６への充填材１８の充填作業を省くこともできる。次に、図２０の（ｅ）に示すように、連結板１３のボルト孔２３に接続ボルト５５の螺子部５６を挿通し、螺子部５６にナット３６を螺着することで、コネクト部材５２を連結板１３に取り付ける。
【０１６１】
鉄骨構造物施工方法では、コネクト部材４８と挿入孔２６において硬化した充填材１８とによって既設鉄骨梁１１と新設鉄骨間柱１２との接合部に生じるせん断応力に抗するせん断抵抗・伝達手段が形成される。
【０１６２】
鉄骨構造物施工方法は、既設鉄骨梁１１であるＨ形鋼１９（第２のＨ形鋼）の上フランジ２０の上に施工されたコンクリートスラブ２４（コンクリート躯体）に貫通孔２５を穿孔し、新設鉄骨間柱１２であるＨ形鋼２７（第１のＨ形鋼）の下端に取り付けられた連結板１３を既設鉄骨梁１１の上フランジ２０の上に施工されたコンクリートスラブ２４（コンクリート躯体）の上に配置（載置）し、コンクリートスラブ２４の貫通孔２５に設置された鋼材スリーブ１４に挿通された連結ボルト１５によって連結板１３と増設部材１６（既設鉄骨梁１１）とを連結することで、新設鉄骨間柱１２を既設鉄骨梁１１に連結するから、連結ボルト１５を挿通する貫通孔２５をコンクリートスラブ２４に穿孔しつつ、その貫通孔２５に鋼材スリーブ１４を設置するとともに、貫通孔２５に充填材４７を充填し、連結ボルト１５によって連結板１３と増設部材１６（既設鉄骨梁１１）とを連結すればよく、はつり工事を行う必要がなく、はつり音やはつり振動の発生や多量の塵埃の発生を防ぐことができ、静音および清浄な環境を維持した状態で既設建造物の既設鉄骨梁１１に新設鉄骨間柱１２を取り付けた鉄骨構造物１０Ｇを施工することができる。
【０１６３】
鉄骨構造物施工方法は、はつり音およびはつり振動の発生や多量の塵埃の発生を防ぐことができるから、平日の昼間の時間に作業を行うことができ、平日の昼間の時間を有効に使って既設建造物の既設鉄骨梁１１（Ｈ形鋼１９）に新設鉄骨間柱１２（Ｈ形鋼２７）を取り付けた鉄骨構造物１０Ｇを短時間に効率よく施工することができる。鉄骨構造物施工方法は、コンクリートをはつる必要がないから、はつり箇所に対する復旧工事を行う手間と時間とを節約することができるとともに、コンクリートスラブ２４の耐力の低下やコンクリートスラブ２４の変形を防ぎつつ既設建造物の既設鉄骨梁１１（Ｈ形鋼１９）に新設鉄骨間柱１２（Ｈ形鋼２７）を取り付けた鉄骨構造物１０Ｇを短時間に効率よく施工することができる。
【０１６４】
鉄骨構造物施工方法は、鋼材スリーブ１４（貫通孔２５）に挿通された連結ボルト１５を利用して新設鉄骨間柱１２が既設鉄骨梁１１に連結されているから、溶接作業を必要とせず、溶接の熱による鉄骨部材の耐力の低下や鉄骨部材の変形を防ぐことができ、火災発生の危険がなく、超高層ビルや高層ビル、中層ビル、低層ビル、工場等のあらゆる既設建造物の既設鉄骨梁１１（Ｈ形鋼１９）に新設鉄骨間柱１２（Ｈ形鋼２７）を取り付けた鉄骨構造物１０Ｇを安全に施工することができる。
【０１６５】
鉄骨構造物施工方法は、挿入孔２６に挿入されたコネクト部材５２（脚部５３）と挿入孔２６において硬化した充填材１８とが既設鉄骨梁１１（Ｈ形鋼１９）と新設鉄骨間柱１２（Ｈ形鋼２７）との接合部に生じるせん断応力に抗するせん断抵抗・伝達手段を形成するから、既設建造物に地震等の外力が作用し、既設鉄骨梁１１と新設鉄骨間柱１２との接合部にせん断応力が生じた際に、挿入孔２６に挿入されたコネクト部材５２（脚部５３）と挿入孔２６において硬化した充填材１８とから形成されたせん断抵抗・伝達手段がそのせん断応力に抵抗するとともに、コンクリートスラブ２４（コンクリート躯体）と新設鉄骨間柱１２との間においてせん断応力を円滑に伝達することが可能な鉄骨構造物１０Ｇを施工することができる。
【０１６６】
鉄骨構造物施工方法は、貫通孔２５に挿通された連結ボルト１５と貫通孔２５に設置された鋼材スリーブ１４と貫通孔２５において硬化した充填材４７とが既設鉄骨梁１１（Ｈ形鋼１９）と新設鉄骨間柱１２（Ｈ形鋼２７）との接合部に生じる曲げ応力（引っ張り応力および圧縮応力）に抗する曲げ抵抗・伝達手段を形成するから、既設建造物に地震等の外力が作用し、既設鉄骨梁１１と新設鉄骨間柱１２との接合部に曲げ応力が生じた際に、貫通孔２５に挿通された連結ボルト１５と貫通孔２５に設置された鋼材スリーブ１４と貫通孔２５において硬化した充填材４７とから形成された曲げ抵抗・伝達手段によってその曲げ応力に抵抗するとともに、既設鉄骨梁１１やコンクリートスラブ２４（コンクリート躯体）と新設鉄骨間柱１２との間において曲げ応力を円滑に伝達することが可能な鉄骨構造物１０Ｇを施工することができる。
【０１６７】
鉄骨構造物施工方法は、新設鉄骨間柱１２のＨ形鋼２７のウェブ３０に沿ってせん断抵抗・伝達手段を形成し、新設鉄骨間柱１２のＨ形鋼２７の一方のフランジ２８の近傍と他方のフランジ２９の近傍とに曲げ抵抗・伝達手段を形成するから、既設建造物に地震等の外力が作用し、既設鉄骨梁１１と新設鉄骨間柱１２との接合部にせん断応力や曲げ応力が生じた際に、新設鉄骨間柱１２である第１のＨ形鋼２７のウェブ３０に沿って形成されたせん断抵抗・伝達手段や新設鉄骨間柱１２である第１のＨ形鋼２７の一方のフランジ２８の近傍と他方のフランジ２９の近傍とに形成された曲げ抵抗・伝達手段がせん断応力や曲げ応力に十分に抵抗するとともに、既設鉄骨梁１１（Ｈ形鋼１９）やコンクリートスラブ２４（コンクリート躯体）と新設鉄骨間柱１２（Ｈ形鋼２７）との間においてせん断応力や曲げ応力を円滑に伝達することが可能な鉄骨構造物１０Ｇを施工することができる。
【０１６８】
図２１は、他の一例として示す新設鉄骨間柱１２の上面図である。図２１に示す新設鉄骨間柱１２は、金属柱４８が連結板１３の端縁近傍（周縁近傍）に設置された場合の例である。金属柱４８は、必ずしも連結板１３の中に設置されていなくてもよく、金属柱４８が連結板１３に部分的に支持されていれば、図２１に示すように、金属柱４８が連結板１３の端縁近傍に設置され、金属柱４８の一部が連結板１３の端縁からはみ出していてもよい。なお、図２１に示す新設鉄骨間柱１２では、せん断抵抗・伝達手段が挿入ボルト１７や挿入棒４６、コネクト部材５２によって形成されていてもよい。
【０１６９】
図２２は、他の一例として示す新設鉄骨間柱１２の上面図である。図２２に示す新設鉄骨間柱１２は、挿入ボルト１７が新設鉄骨間柱１２の中央部であって新設鉄骨間柱１２を形成するＨ形鋼２７のウェブ３０に沿って配置され、せん断抵抗・伝達手段が新設鉄骨間柱１２の中央部であって新設鉄骨間柱１２を形成するＨ形鋼２７のウェブ３０に沿って形成されているのみならず、挿入ボルト１７が連結ボルト１５の横方向外方であって新設鉄骨間柱１２の両側部に配置され、せん断抵抗・伝達手段が曲げ抵抗・伝達手段の横方向外方であって新設鉄骨間柱１２の両側部に形成されている。なお、挿入ボルト１７が連結ボルト１５の横方向外方であって新設鉄骨間柱１２の両側部のみに配置され、せん断抵抗・伝達手段が曲げ抵抗・伝達手段の横方向外方であって新設鉄骨間柱１２の両側部のみに形成され、せん断抵抗・伝達手段が新設鉄骨間柱１２の中央部に形成されていなくてもよい。
【０１７０】
図２３は、他の一例として示す鋼材スリーブ１４の斜視図である。図２３に示す鋼材スリーブ１４は、円筒状の鋼材スリーブ１４の頂部５７に径方向外方へ延びる所定厚みのフランジ５８が形成されている。フランジ５８は、連結板１３の下面に当接する場合と連結板１３の下面に当接しない場合とがある。フランジ５８が連結板１３の下面に当接する場合は、既設建造物に地震等の外力が作用し、既設鉄骨梁１１と新設鉄骨間柱１２との接合部に曲げ応力が生じた際に、連結板１３からフランジ５８に圧縮応力が伝達され、フランジ５８から鋼材スリーブ１４に圧縮応力が伝達されるから、フランジ５８を介して連結板１３から鋼材スリーブ１４に圧縮応力が伝達され、既設鉄骨梁１１やコンクリートスラブ２４（コンクリート躯体）と新設鉄骨間柱１２との間で曲げ応力を効率よく伝達することができる。
【０１７１】
フランジ５８が連結板１３の下面に当接しない場合では、既設建造物に地震等の外力が作用し、既設鉄骨梁１１と新設鉄骨間柱１２との接合部に曲げ応力が生じた際に、フランジ５８が連結板１３の下面に当接していなくても、連結板１３から充填材３４に圧縮応力が伝達され、充填材３４からフランジ５８に圧縮応力が伝達され、フランジ５８から鋼材スリーブ１４に圧縮応力が伝達されるから、充填材３４およびフランジ５８を介して連結板１３から鋼材スリーブ１４に圧縮応力が伝達され、既設鉄骨梁１１やコンクリートスラブ２４（コンクリート躯体）と新設鉄骨間柱１２との間で曲げ応力を効率よく伝達することができる。
【０１７２】
図１の鉄骨構造物１０Ａや図７の鉄骨構造物１０Ｂでは、せん断抵抗・伝達手段として図９や図１２、図１４、図１６、図１８に示すせん断抵抗・伝達手段を採用することができる。図９の鉄骨構造物１０Ｃでは、せん断抵抗・伝達手段として図１や図１２、図１４、図１６、図１８に示すせん断抵抗・伝達手段を採用することができる。
【符号の説明】
【０１７３】
１０Ａ  鉄骨構造物
１０Ｂ  鉄骨構造物
１０Ｃ  鉄骨構造物
１０Ｄ  鉄骨構造物
１０Ｅ  鉄骨構造物
１０Ｆ  鉄骨構造物
１０Ｇ  鉄骨構造物
１１    既設鉄骨梁
１２    新設鉄骨間柱
１３    連結板
１４    鋼材スリーブ（管材）
１５    連結ボルト
１６    増設部材
１７    挿入ボルト
１８    充填材
１９    Ｈ形鋼（第２のＨ形鋼）
２０    上フランジ
２１    下フランジ
２２    ウェブ
２３    ボルト孔
２４    コンクリートスラブ（コンクリート躯体）
２５    貫通孔
２６    挿入孔
２７    Ｈ形鋼（第１のＨ形鋼）
２８    一方のフランジ
２９    他方のフランジ
３０    ウェブ
３１    中央部
３２    側部
３３    側部
３４    充填材
３５    螺子部
３６    ナット（固定手段）
３７    取付板部
３８    接続板部
３９    補強板部
４０    固定ボルト
４１    露出部分
４２    ドリルビット
４３    コア抜きドリル
４４    螺子部
４５    充填材充填口
４６    挿入棒
４７    充填材
４８    金属柱
４９    挿通孔
５０    頂部
５１    押さえ板
５２    コネクト部材
５３    脚部
５４    板状ベース
５５    接続ボルト
５６    螺子部
５７    頂部
５８    フランジ
【図１】
2019027219.tif 000003
【図２】
2019027219.tif 000004
【図３】
2019027219.tif 000005
【図４】
2019027219.tif 000006
【図５】
2019027219.tif 000007
【図６】
2019027219.tif 000008
【図７】
2019027219.tif 000009
【図８】
2019027219.tif 000010
【図９】
2019027219.tif 000011
【図１０】
2019027219.tif 000012
【図１１】
2019027219.tif 000013
【図１２】
2019027219.tif 000014
【図１３】
2019027219.tif 000015
【図１４】
2019027219.tif 000016
【図１５】
2019027219.tif 000017
【図１６】
2019027219.tif 000018
【図１７】
2019027219.tif 000019
【図１８】
2019027219.tif 000020
【図１９】
2019027219.tif 000021
【図２０】
2019027219.tif 000022
【図２１】
2019027219.tif 000023
【図２２】
2019027219.tif 000024
【図２３】
2019027219.tif 000025